(57)【要約】【課題】撮影した画像に係る肖像権や著作権の保証を実現する。【解決手段】カメラ付きの携帯電話機１０００で画像を撮影したならば、撮影画像データを、肖像権の保証を望む登録者のデータを予め記憶している肖像権保証サーバ装置１２００に送信する。肖像権保証サーバ装置１２００は、受信した撮影画像データに写っている登録者を特定し、該登録者の端末装置１１００に肖像使用許諾要求を送信する。端末装置１１００から肖像使用に非同意の返信があった場合には、該登録者が写っている部分にモザイク処理を施して修正し、誰が写っているか分からなくする。【選択図】図１
2005110004.tif 000002
【特許請求の範囲】
【請求項１】
登録者の画像と登録者の登録端末装置の通信先とを対応づけて記憶する登録者記憶手段と、
利用者端末装置から画像を受信する画像受信手段と、
この画像受信手段によって受信された画像内に前記登録者記憶手段に記憶された登録者の画像が含まれているか否か判定し、含まれている場合に当該登録者の画像に対応付けて記憶された通信先に肖像使用許諾要求信号を送信する許諾要求信号送信手段と、
前記肖像使用許諾要求信号を送信した通信先から肖像使用許諾要求への同意又は非同意を示す情報を受信する同意情報受信手段と、
この同意情報受信手段によって非同意を示す情報が受信された場合には、施すことにより前記画像受信手段により受信された画像のうちの非同意を示す情報を送信した通信先に対応する登録者の画像部分を画像処理し、同意を示す情報が受信された場合には、前記受信された画像に前記画像処理を行わない肖像許否処理を実行する肖像許否処理手段と、
この肖像許否処理手段により肖像許否処理された画像を、予め登録された送信先に送信する画像送信手段と、
を備えることを特徴とする画像処理装置。
【請求項２】
登録者の画像と登録者の登録端末装置の通信先とを対応づけて記憶する登録者記憶手段と、
利用者端末装置から画像を受信する画像受信手段と、
この画像受信手段で画像を受信した利用者端末装置及び前記登録端末装置の位置情報を取得する位置情報取得手段と、
この位置情報取得手段により取得された位置情報を基にして、前記画像受信手段で画像を受信した利用者端末装置から所定範囲内に位置する登録端末装置を選択する選択手段と、
この選択手段によって選択された登録端末装置に肖像使用許諾要求信号を送信する許諾要求信号送信手段と、
前記肖像使用許諾要求信号を送信した通信先から肖像使用許諾要求への同意又は非同意を示す情報を受信する同意情報受信手段と、
この同意情報受信手段によって非同意を示す情報が受信された場合には、前記受信された画像のうち非同意を示す情報を送信した通信先に対応する登録者の画像部分を画像処理し、同意を示す情報が受信された場合には、前記受信された画像に前記画像処理を行わない肖像許否処理を実行する肖像許否処理手段と、
この肖像許否処理手段により肖像許否処理された画像を、予め登録された送信先に送信する画像送信手段と、
を備えることを特徴とする画像処理装置。
【請求項３】
前記登録者記憶手段は振込先の情報を更に対応づけて記憶する手段であり、
前記同意情報受信手段によって同意を示す情報が受信された場合に、所定の金融機関システムと通信を行って、同意を示す情報を送信した通信先の振込先に所定額を振り込む指示信号を送信することにより謝礼処理を実行する謝礼処理実行手段を更に備えることを特徴とする請求項１又は２に記載の画像処理装置。
【請求項４】
秘匿処理対象者の画像を記憶する秘匿処理画像記憶手段を更に備え、
前記画像処理手段は、前記画像受信手段によって受信された画像内に前記秘匿処理画像記憶手段に記憶された秘匿処理対象者の画像が含まれているか否か判定し、含まれている場合に当該秘匿処理対象者の画像部分に前記画像処理を施すことにより肖像許否処理を行う対象者画像処理手段を有する、
ことを特徴とする請求項１〜３の何れか一項に記載の画像処理装置。
【請求項５】
登録者の画像を記憶する登録者記憶手段と、
被写体を電子的に撮影する撮影手段と、
この撮影手段により撮影された画像内に前記登録者記憶手段に記憶された登録者の画像が含まれているか否か判定し、含まれている場合には当該登録者の画像部分を画像処理し、含まれていない場合には画像処理を行わない肖像許否処理を実行する肖像許否処理手段と、
を備えることを特徴とする画像処理装置。
【請求項６】
前記撮影手段により撮影された画像のうち、前記肖像許否処理手段による肖像許否処理の後の画像を所定の出力方式で出力し、肖像許否処理前の画像の出力を禁止する出力制御手段を更に備えることを特徴とする請求項５に記載の画像処理装置。
【請求項７】
前記所定の画像処理は、モザイク処理、ぼかし処理及び所定の代替画像の上書処理の内、少なくとも一つの処理であることを特徴とする請求項１〜５の何れか一項に記載の画像処理装置。
【請求項８】
前記肖像許否処理手段は、肖像許否処理済みの画像に所定の証明情報を付加する証明情報付加手段を有することを特徴とする請求項１〜７の何れか一項に記載の画像処理装置。
【請求項９】
コンピュータに、
登録者の画像と登録者の登録端末装置の通信先とを対応づけて記憶する登録者記憶機能と、
利用者端末装置から画像を受信する画像受信機能と、
この画像受信機能によって受信された画像内に前記登録者記憶機能によって記憶された登録者の画像が含まれているか否か判定し、含まれている場合に当該登録者の画像に対応付けて記憶された通信先に肖像使用許諾要求信号を送信する許諾要求信号送信機能と、
前記肖像使用許諾要求信号を送信した通信先から肖像使用許諾要求への同意又は非同意を示す情報を受信する同意情報受信機能と、
この同意情報受信機能によって非同意を示す情報が受信された場合には、施すことにより前記画像受信機能により受信された画像のうちの非同意を示す情報を送信した通信先に対応する登録者の画像部分を画像処理し、同意を示す情報が受信された場合には、前記受信された画像に前記画像処理を行わない肖像許否処理を実行する肖像許否処理機能と、
この肖像許否処理機能により肖像許否処理された画像を、予め登録された送信先に送信する画像送信機能と、
を実現させるためのプログラム。
【請求項１０】
コンピュータに、
登録者の画像と登録者の登録端末装置の通信先とを対応づけて記憶する登録者記憶機能と、
利用者端末装置から画像を受信する画像受信機能と、
この画像受信機能で画像を受信した利用者端末装置及び前記登録端末装置の位置情報を取得する位置情報取得機能と、
この位置情報取得機能により取得された位置情報を基にして、前記画像受信手段で画像を受信した利用者端末装置から所定範囲内に位置する登録端末装置を選択する選択機能と、
この選択機能によって選択された登録端末装置に肖像使用許諾要求信号を送信する許諾要求信号送信機能と、
前記肖像使用許諾要求信号を送信した通信先から肖像使用許諾要求への同意又は非同意を示す情報を受信する同意情報受信機能と、
この同意情報受信機能によって非同意を示す情報が受信された場合には、前記受信された画像のうち非同意を示す情報を送信した通信先に対応する登録者の画像部分を画像処理し、同意を示す情報が受信された場合には、前記受信された画像に前記画像処理を行わない肖像許否処理を実行する肖像許否処理機能と、
この肖像許否処理機能により肖像許否処理された画像を、予め登録された送信先に送信する画像送信機能と、
を実現させるためのプログラム。
【請求項１１】
コンピュータに、
登録者の画像を記憶する登録者記憶機能と、
被写体を電子的に撮影する撮影機能と、
この撮影機能により撮影された画像内に前記登録者記憶機能に記憶された登録者の画像が含まれているか否か判定し、含まれている場合には当該登録者の画像部分を画像処理し、含まれていない場合には画像処理を行わない肖像許否処理を実行する肖像許否処理機能と、
を実現させるためのプログラム。
【請求項１２】
登録者の画像と登録者の登録端末装置とを対応づけて記憶している登録者記憶手段と、
利用者端末装置から画像を受信する画像受信手段と、
この画像受信手段によって受信された画像内に前記登録者記憶手段に記憶された登録者の画像が含まれているか否か判定し、含まれている場合に当該登録者の画像に対応付けて記憶されている登録端末装置に肖像使用許諾要求を送信する許諾要求送信手段と、
前記登録端末装置から肖像使用許諾要求への同意又は非同意を示す情報を受信する同意情報受信手段と、
この同意情報受信手段によって非同意を示す情報が受信された後、前記画像受信手段により受信された画像のうち、非同意を示す情報を送信した登録端末装置に対応する登録者の画像部分を画像処理し、この画像処理済の画像を前記利用者端末装置に送信する画像送信手段と、
を備えることを特徴とする画像処理装置。
【請求項１３】
登録者の画像と登録者の登録端末装置とを対応づけて記憶している登録者記憶手段と、
利用者端末装置から画像を受信する画像受信手段と、
この画像受信手段で画像を受信した前記利用者端末装置と前記登録端末装置との位置情報を取得する位置情報取得手段と、
この位置情報取得手段により取得された位置情報を基にして、前記画像受信手段で画像を受信した利用者端末装置から予め定められている範囲内における前記登録端末装置の存否を判別し存在が確認された際は、存在が確認された登録端末装置に肖像使用許諾要求を送信する許諾要求送信手段と、
前記登録端末装置から肖像使用許諾要求への同意又は非同意を示す情報を受信する同意情報受信手段と、
この同意情報受信手段によって非同意を示す情報が受信された後、前記画像受信手段により受信された画像のうち、非同意を示す情報を送信した登録端末装置に対応する登録者の画像部分を画像処理し、この画像処理済の画像を前記利用者端末装置に送信する画像送信手段と、
を備えることを特徴とする画像処理装置。
【請求項１４】
被写体を撮影する撮影手段と、
この撮影手段により撮影された撮影画像を、登録者による肖像使用許諾結果に応じた画像処理をする画像処理装置に送信する送信手段と、
この送信手段により撮影画像と肖像権保証要求とを送信後、前記画像処理装置から、前記登録者によって肖像使用が許諾されなかった場合に対応する処理がなされた第１の画像と、前記登録者によって肖像使用が許諾された場合に対応する処理がなされた第２の画像とのいずれか一方の画像を受信する受信手段と、
を備えることを特徴とする利用者端末装置。
【請求項１５】
コンピュータに、
登録者の画像と登録者の登録端末装置とを対応づけて記憶する登録者記憶機能と、
利用者端末装置から画像を受信する画像受信機能と、
この画像受信機能によって受信された画像内に前記登録者記憶機能にて記憶された登録者の画像が含まれているか否か判定し、含まれている場合に当該登録者の画像に対応付けて記憶されている登録端末装置に肖像使用許諾要求を送信する許諾要求送信機能と、
前記登録端末装置から肖像使用許諾要求への同意又は非同意を示す情報を受信する同意情報受信機能と、
この同意情報受信機能によって非同意を示す情報が受信された後、前記画像受信機能により受信された画像のうち、非同意を示す情報を送信した登録端末装置に対応する登録者の画像部分を画像処理し、この画像処理済の画像を前記利用者端末装置に送信する画像送信機能と、
を実現させるためのプログラム。
【請求項１６】
コンピュータに、
登録者の画像と登録者の登録端末装置とを対応づけて記憶する登録者記憶機能と、
利用者端末装置から画像を受信する画像受信機能と、
この画像受信機能で画像を受信した前記利用者端末装置と前記登録端末装置との位置情報を取得する位置情報取得機能と、
この位置情報取得機能により取得された位置情報を基にして、前記画像受信機能で画像を受信した利用者端末装置から予め定められている範囲内における前記登録端末装置の存否を判別し存在が確認された際は、存在が確認された登録端末装置に肖像使用許諾要求を送信する許諾要求送信機能と、
前記登録端末装置から肖像使用許諾要求への同意又は非同意を示す情報を受信する同意情報受信機能と、
この同意情報受信機能によって非同意を示す情報が受信された後、前記画像受信機能により受信された画像のうち、非同意を示す情報を送信した登録端末装置に対応する登録者の画像部分を画像処理し、この画像処理済の画像を前記利用者端末装置に送信する画像送信機能と、
を実現させるためのプログラム。
【請求項１７】
コンピュータに、
被写体を撮影する撮影機能と、
この撮影機能により撮影された撮影画像を、登録者による肖像使用許諾結果に応じてこの撮影画像のうち登録者の画像部分を画像処理する画像処理装置に送信する送信機能と、
この送信機能により撮影画像と肖像権保証要求とを送信後、前記画像処理装置から、前記登録者によって肖像使用が許諾されなかった場合に対応する処理がなされた第１の画像と、前記登録者によって肖像使用が許諾された場合に対応する処理がなされた第２の画像とのいずれか一方の画像を受信する受信機能と、
を実現させるためのプログラム。
【発明の詳細な説明】
【技術分野】
【０００１】
本発明は、利用者端末装置から受信した画像に画像処理する画像処理装置等に関する。
【背景技術】
【０００２】
小型のデジタルカメラを内蔵した「カメラ付き携帯電話機」と称される携帯電話が開発され、日本国内のみならず世界中で急速に普及している。カメラ付き携帯電話機は、電話機能（通話機能）に加えて、被写体の撮影をおこなうことができる「撮影機能」も備えており、ユーザはあたかもデジタルカメラのようにして自由に被写体を撮影し、撮影したデジタル画像を気軽に電子メールへ添付したりパソコン等に送信して利用するといったことができるようになった。
【０００３】
しかし、カメラ付き携帯電話機によって、デジタル写真をより気軽に撮影し利用することができるようになった反面、撮影した画像を使用する際に、写っている人物やロゴ、キャラクタ等に係る肖像権や著作権を侵害するケースが多くなっている。例えば、友人を撮影したつもりの画像の中に有名芸能人が写っている場合、ユーザがこれに気がつかぬまま自身のウェブサイト等で公開すると、この有名芸能人側から肖像権侵害の警告を受け、ウェブサイトからの削除や使用料を要求されるといった事態が起こる。また、人物に限らず、絵画や写真、映像、キャラクタといった著作物が写っている場合においても著作権侵害として同様の問題が生じる可能性が有る。
【０００４】
こうした問題を未然に防ぐためには、撮影者（ユーザ）が被写体となった人物や著作物の所有者へ、撮影した画像の使用について許諾を得るのが望ましい。しかし、現実的には撮影された全ての人物や著作物を判別し、さらに個別に許諾を得ることは大変手間がかかり難しいため、例えば、画像に写っている顔やロゴマーク等を自動的に検出して、検出部分にモザイクや塗潰しなどの画像処理をして何が写っているかわからないようにする画像加工装置が提案されるに至っている（例えば、特許文献１参照。）。
【特許文献１】特開２００２−１００６３号公報
【発明の開示】
【発明が解決しようとする課題】
【０００５】
ところが、上述のような従来の技術では、撮影されている顔やロゴなどには無条件にモザイクなどの画像処理が施されることになる。これによって肖像権や著作権に係る問題を確実に防ぐことができるが、本来写っていてもらわないと困る被写体までモザイク処理されてしまうという問題があった。また、より多くのメディアに露出することを望む人（例えば、駆けだしの芸能人）などの場合には、せっかくの露出の機会と肖像使用料を得る機会とを無為に奪うことにもなる。
【０００６】
本発明は上記課題を鑑みてなされたものであり、その目的とするところは、撮影した画像に係る肖像権や著作権の保証を実現することである。
【課題を解決するための手段】
【０００７】
上記課題を解決するために、請求項１に記載の発明の画像処理装置は、登録者の画像と登録者の登録端末装置の通信先とを対応づけて記憶する登録者記憶手段（例えば、図６のＣＰＵ２１０、ＲＡＭ２２０、登録者データ記憶領域２２７Ｒ）と、利用者端末装置（例えば、図１の携帯電話機１０００）から画像を受信する画像受信手段（例えば、図６のＣＰＵ２１０、通信部２５０、図１０のステップＳ４０）と、この画像受信手段によって受信された画像内に前記登録者記憶手段に記憶された登録者の画像が含まれているか否か判定し、含まれている場合に当該登録者の画像に対応付けて記憶された通信先に肖像使用許諾要求信号を送信する許諾要求信号送信手段（例えば、図６のＣＰＵ２１０、通信部２５０、図１０のステップＳ４２〜Ｓ５２）と、前記肖像使用許諾要求信号を送信した通信先から肖像使用許諾要求への同意又は非同意を示す情報を受信する同意情報受信手段（例えば、図６のＣＰＵ２１０、通信部２５０、図１０のステップＳ５４）と、この同意情報受信手段によって非同意を示す情報が受信された場合には、施すことにより前記画像受信手段により受信された画像のうちの非同意を示す情報を送信した通信先に対応する登録者の画像部分を画像処理し、同意を示す情報が受信された場合には、前記受信された画像に前記画像処理を行わない肖像許否処理を実行する肖像許否処理手段（例えば、図６のＣＰＵ２１０、図１０のステップＳ５６〜Ｓ６４）と、この肖像許否処理手段により肖像許否処理された画像を、予め登録された送信先（例えば、図１の携帯電話機１０００、メディアサーバ装置１３０２）に送信する画像送信手段（例えば、図６のＣＰＵ２１０、通信部２５０、図１１のステップＳ７２，Ｓ８４〜Ｓ８６）と、を備えることを特徴とする。
【０００８】
請求項９に記載の発明のプログラムは、コンピュータに、登録者の画像と登録者の登録端末装置の通信先とを対応づけて記憶する登録者記憶機能（例えば、図６のＣＰＵ２１０、ＲＡＭ２２０、登録者データ記憶領域２２７Ｒ）と、利用者端末装置から画像を受信する画像受信機能（例えば、図６のＣＰＵ２１０、通信部２５０、図１０のステップＳ４０）と、この画像受信機能によって受信された画像内に前記登録者記憶機能によって記憶された登録者の画像が含まれているか否か判定し、含まれている場合に当該登録者の画像に対応付けて記憶された通信先に肖像使用許諾要求信号を送信する許諾要求信号送信機能（例えば、図６のＣＰＵ２１０、通信部２５０、図１０のステップＳ４２〜Ｓ５２）と、前記肖像使用許諾要求信号を送信した通信先から肖像使用許諾要求への同意又は非同意を示す情報を受信する同意情報受信機能（例えば、図６のＣＰＵ２１０、通信部２５０、図１０のステップＳ５４）と、この同意情報受信機能によって非同意を示す情報が受信された場合には、施すことにより前記画像受信機能により受信された画像のうちの非同意を示す情報を送信した通信先に対応する登録者の画像部分を画像処理し、同意を示す情報が受信された場合には、前記受信された画像に前記画像処理を行わない肖像許否処理を実行する肖像許否処理機能（例えば、図６のＣＰＵ２１０、図１０のステップＳ５６〜Ｓ６４）と、この肖像許否処理機能により肖像許否処理された画像を、予め登録された送信先（例えば、図１の携帯電話機１０００、メディアサーバ装置１３０２）に送信する画像送信機能（例えば、図６のＣＰＵ２１０、通信部２５０、図１１のステップステップＳ７２，Ｓ８４〜Ｓ８６）と、を実現させることを特徴とする。
【０００９】
請求項１又は９に記載の発明によれば、予め肖像権の保証を望む登録者の画像と登録端末装置の通信先とを対応付けて記憶しておき、利用者端末装置から画像を受信したならば、該画像に登録者の画像が含まれているか否かを判定する。そして、登録者の画像が含まれている場合には、当該登録者の登録端末装置に肖像使用許諾要求信号を送信する。肖像使用許諾要求信号とは、例えば、登録者が写っている画像を使用したい人がいて、使用を許諾するか否かを問うための信号であり、例えば、該内容の電子メールや、選択を入力する機能を登録端末装置に実現させるためのプログラム又は該プログラムの起動信号である。
【００１０】
そして、肖像使用許諾要求信号の送信先から画像の使用に同意する内容の返信を受信した場合、登録者が写っている画像部分には画像処理をせずにそのままとし、非同意の内容の返信を受信した場合には、登録者が写っている画像部分に画像処理を施すことで、誰が写っているか分からなくする。更に、肖像許否処理が施された画像を予め登録されている送信先に送信することができる。したがって、利用者端末装置を使用するユーザは、登録者についての肖像権が保証された画像を予め登録されている送信先に送信することができる。
【００１１】
請求項２に記載の発明の画像処理装置は、登録者の画像と登録者の登録端末装置の通信先とを対応づけて記憶する登録者記憶手段と、利用者端末装置から画像を受信する画像受信手段（例えば、図６のＣＰＵ２１０、通信部２５０、図１５のステップＳ２００）と、この画像受信手段で画像を受信した利用者端末装置及び前記登録端末装置の位置情報を取得する位置情報取得手段（例えば、図６のＣＰＵ２１０、通信部２５０、図１５のステップＳ２０２〜Ｓ２１２）と、この位置情報取得手段により取得された位置情報を基にして、前記画像受信手段で画像を受信した利用者端末装置から所定範囲内に位置する登録端末装置を選択する選択手段（例えば、図６のＣＰＵ２１０、図１５のステップＳ２１４）と、この選択手段によって選択された登録端末装置に肖像使用許諾要求信号を送信する許諾要求信号送信手段（例えば、図６のＣＰＵ２１０、通信部２５０、図１５のステップＳ２１６）と、前記肖像使用許諾要求信号を送信した通信先から肖像使用許諾要求への同意又は非同意を示す情報を受信する同意情報受信手段（例えば、図６のＣＰＵ２１０、通信部２５０、図１５のステップＳ２１８）と、この同意情報受信手段によって非同意を示す情報が受信された場合には、前記受信された画像のうち非同意を示す情報を送信した通信先に対応する登録者の画像部分を画像処理し、同意を示す情報が受信された場合には、前記受信された画像に前記画像処理を行わない肖像許否処理を実行する肖像許否処理手段（例えば、図６のＣＰＵ２１０、図１５のステップＳ２２０〜Ｓ２３４）と、この肖像許否処理手段により肖像許否処理された画像を、予め登録された送信先に送信する画像送信手段と、を備えることを特徴とする。
【００１２】
また、請求項１０に記載の発明のプログラムは、コンピュータに、登録者の画像と登録者の登録端末装置の通信先とを対応づけて記憶する登録者記憶機能と、利用者端末装置から画像を受信する画像受信機能（例えば、図６のＣＰＵ２１０、通信部２５０、図１５のステップＳ２００）と、この画像受信機能で画像を受信した利用者端末装置及び前記登録端末装置の位置情報を取得する位置情報取得機能（例えば、図６のＣＰＵ２１０、通信部２５０、図１５のステップＳ２０２〜Ｓ２１２）と、この位置情報取得機能により取得された位置情報を基にして、前記画像受信手段で画像を受信した利用者端末装置から所定範囲内に位置する登録端末装置を選択する選択機能（例えば、図６のＣＰＵ２１０、図１５のステップＳ２１４）と、この選択機能によって選択された登録端末装置に肖像使用許諾要求信号を送信する許諾要求信号送信機能（例えば、図６のＣＰＵ２１０、通信部２５０、図１５のステップＳ２１６）と、前記肖像使用許諾要求信号を送信した通信先から肖像使用許諾要求への同意又は非同意を示す情報を受信する同意情報受信機能（例えば、図６のＣＰＵ２１０、通信部２５０、図１５のステップＳ２１８）と、この同意情報受信機能によって非同意を示す情報が受信された場合には、前記受信された画像のうち非同意を示す情報を送信した通信先に対応する登録者の画像部分を画像処理し、同意を示す情報が受信された場合には、前記受信された画像に前記画像処理を行わない肖像許否処理を実行する肖像許否処理機能（例えば、図６のＣＰＵ２１０、図１５のステップＳ２２０〜Ｓ２３４）と、この肖像許否処理機能により肖像許否処理された画像を、予め登録された送信先に送信する画像送信機能と、を実現させることを特徴とする。
【００１３】
請求項２又は１１に記載の発明によれば、予め肖像権の保証を望む登録者の画像と登録端末装置の通信先とを対応付けて記憶しておき、利用者端末装置から画像を受信したならば、この利用者端末装置と登録端末装置の位置情報を取得し、取得した位置情報に基づいて該利用者端末装置から所定範囲内に位置する登録端末装置を選択する。そして、選択した登録端末装置に肖像使用許諾要求信号を送信する。
【００１４】
肖像使用許諾要求信号の送信先から、画像の使用に同意する内容の返信を受信した場合、登録者が写っている画像部分には画像処理をせずにそのままとする。一方、非同意の内容の返信を受信した場合には、登録者が写っている画像部分に画像処理を施すことで、誰が写っているか分からなくすることができる。そして、肖像許否処理が施された画像を予め登録されている送信先に送信することができる。
【００１５】
請求項３に記載の発明は、請求項１又は２に記載の画像処理装置であって、前記登録者記憶手段は振込先の情報を更に対応づけて記憶する手段であり、前記同意情報受信手段によって同意を示す情報が受信された場合に、所定の金融機関システム（例えば、図１の金融機関サーバ装置１３０４）と通信を行って、同意を示す情報を送信した通信先の振込先に所定額を振り込む指示信号を送信することにより謝礼処理を実行する謝礼処理実行手段（例えば、図６のＣＰＵ２１０、図１１のステップＳ８０〜Ｓ８２）を更に備えることを特徴とする。
【００１６】
請求項３に記載の発明によれば、請求項１又は２に記載の発明と同様の効果を奏するとともに、金融機関システムに、画像の使用に同意した登録者の振込先に所定金額を振り込ませて肖像使用への謝礼を代行させることができる。したがって、利用者端末装置のユーザは、自身で謝礼のために振込手続きをする手間を省くことができる。
【００１７】
請求項４に記載の発明は、請求項１〜３の何れか一項に記載の画像処理装置であって、秘匿処理対象者の画像を記憶する秘匿処理画像記憶手段（例えば、図６のＲＡＭ２２０、登録者データ記憶領域２２７Ｒ）を更に備え、前記画像処理手段は、前記画像受信手段によって受信された画像内に前記秘匿処理画像記憶手段に記憶された秘匿処理対象者の画像が含まれているか否か判定し、含まれている場合に当該秘匿処理対象者の画像部分に前記画像処理を施すことにより肖像許否処理を行う対象者画像処理手段を有する、ことを特徴とする。
【００１８】
請求項４に記載の発明によれば秘匿処理対象者の画像を記憶しておき、受信した画像内にこの秘匿処理対象者の画像が含まれているか否かを判定する。そして、含まれている場合、登録者に対してはその通信先に許諾要求信号を送信し返信の内容に応じて画像処理を施すか否かを決定したが、当該秘匿処理者の画像部分には許諾要求信号の送信無しに画像処理を施すことができる。例えば、未成年の登録者を秘匿処理対象者とするならば、未成年については無条件で画像処理を施し、その肖像を確実に保護することが可能となる。
【００１９】
請求項５に記載の発明の画像処理装置（例えば、図１６のデジタルカメラ２０００）は、登録者の画像を記憶する登録者記憶手段（例えば、図１６の内蔵フラッシュメモリ３６０）と、被写体を電子的に撮影する撮影手段（例えば、図１６の撮影レンズ２００４、撮像素子２００６、図１７の撮影部３１２、図１８のステップＳ１３０）と、この撮影手段により撮影された画像内に前記登録者記憶手段に記憶された登録者の画像が含まれているか否か判定し、含まれている場合には当該登録者の画像部分を画像処理し、含まれていない場合には画像処理を行わない肖像許否処理を実行する肖像許否処理手段（例えば、図１７のＣＰＵ３１０、図１８のステップＳ１３６〜Ｓ１５０）とを備えることを特徴とする。
【００２０】
また、請求項１１に記載の発明のプログラムは、コンピュータに、登録者の画像を記憶する登録者記憶機能（例えば、図１６の内蔵フラッシュメモリ３６０）と、被写体を電子的に撮影する撮影機能（例えば、図１６の撮影レンズ２００４、撮像素子２００６、図１７の撮影部３１２、図１８のステップＳ１３０）と、この撮影機能により撮影された画像内に前記登録者記憶機能に記憶された登録者の画像が含まれているか否か判定し、含まれている場合には当該登録者の画像部分を画像処理し、含まれていない場合には画像処理を行わない肖像許否処理を実行する肖像許否処理機能（例えば、図１７のＣＰＵ３１０、図１８のステップＳ１３６〜Ｓ１５０）と、を実現させることを特徴とする。
【００２１】
請求項５又は１１に記載の発明によれば、撮影した画像に予め記憶されている登録者の画像が含まれている場合に、当該登録者の画像部分を画像処理することができる。したがって、登録者の肖像を保証することができる。
【００２２】
請求項６に記載の発明は、請求項５に記載の画像処理装置であって、前記撮影手段により撮影された画像のうち、前記肖像許否処理手段による肖像許否処理の後の画像を所定の出力方式で出力し、肖像許否処理前の画像の出力を禁止する出力制御手段（例えば、図１７のＣＰＵ３１０、図１８のステップＳ１５６〜Ｓ１６４）を更に備えることを特徴とする。
【００２３】
ここで言う「出力」とは、リムーバルな記憶媒体への画像データの保存、及び通信回線を介して外部装置へ画像データを送信することを言う。請求項６に記載の発明によれば、請求項５に記載の発明と同様の効果を奏するとともに、画像処理装置から画像を出力する際には、肖像許否処理が施された画像を出力し、肖像許否処理されていない画像の出力を実行しない。したがって、肖像権が保証されていないまま画像が利用されるのを防ぐことができる。
【００２４】
より好適には、請求項７に記載の発明は、請求項１〜５の何れか一項に記載の画像処理装置であって、前記所定の画像処理は、モザイク処理、ぼかし処理及び所定の代替画像の上書処理の内、少なくとも一つの処理であることとしても良い。
【００２５】
請求項７に記載の発明によれば、請求項１〜５の何れか一項に記載の発明と同様の効果を奏するとともに、画像にモザイクやぼかし、代替画像の上書きなどによって処理対象部分に何が写っているかわからなくすることができる。
【００２６】
請求項８に記載の発明は、請求項１〜７の何れか一項に記載の画像処理装置であって、前記肖像許否処理手段は、肖像許否処理済みの画像に所定の証明情報を付加する証明情報付加手段（例えば、図６のＣＰＵ２１０、図１１のステップＳ７０、図１７のＣＰＵ３１０、図１８のステップＳ１５８）を有することを特徴とする。
【００２７】
請求項８に記載の発明によれば、請求項１〜７の何れか一項に記載の発明と同様の効果を奏するとともに、肖像許否処理済であることを示す証明情報を付加することができる。したがって、証明情報の有無によって肖像権が保証されているか否かを簡単に区別することができる。
【００２８】
請求項１２に記載の発明の画像処理装置（例えば、図１の肖像権保証サーバ装置１２００）は、登録者の画像と登録者の登録端末装置（例えば、図１の端末装置１１００）とを対応づけて記憶している登録者記憶手段（例えば、図６のＲＡＭ２２０、登録者データ記憶領域２２７Ｒ）と、利用者端末装置（例えば、図１の携帯電話機１０００）から画像を受信する画像受信手段（例えば、図６のＣＰＵ２１０、通信部２５０、図１０のステップＳ４０）と、この画像受信手段によって受信された画像内に前記登録者記憶手段に記憶された登録者の画像が含まれているか否か判定し、含まれている場合に当該登録者の画像に対応付けて記憶されている登録端末装置に肖像使用許諾要求を送信する許諾要求送信手段（例えば、図６のＣＰＵ２１０、通信部２５０、図１０のステップＳ４２〜Ｓ４３、Ｓ４８〜Ｓ５２）と、前記登録端末装置から肖像使用許諾要求への同意又は非同意を示す情報を受信する同意情報受信手段（例えば、図６のＣＰＵ２１０、通信部２５０、図１０のステップＳ５４）と、この同意情報受信手段によって非同意を示す情報が受信された後、前記画像受信手段により受信された画像のうち、非同意を示す情報を送信した登録端末装置に対応する登録者の画像部分を画像処理し、この画像処理済の画像を前記利用者端末装置に送信する画像送信手段（例えば、図６のＣＰＵ２１０、通信部２５０、図１０のステップＳ５６〜Ｓ６２、図１１のステップＳ７２）と、を備えることを特徴とする。
【００２９】
また、請求項１５に記載の発明のプログラムは、コンピュータに、登録者の画像と登録者の登録端末装置とを対応づけて記憶する登録者記憶機能（例えば、図６のＲＡＭ２２０、登録者データ記憶領域２２７Ｒ）と、利用者端末装置から画像を受信する画像受信機能（例えば、図６のＣＰＵ２１０、通信部２５０、図１０のステップＳ４０）と、この画像受信機能によって受信された画像内に前記登録者記憶機能にて記憶された登録者の画像が含まれているか否か判定し、含まれている場合に当該登録者の画像に対応付けて記憶されている登録端末装置に肖像使用許諾要求を送信する許諾要求送信機能（例えば、図６のＣＰＵ２１０、通信部２５０、図１０のステップＳ４２〜Ｓ４３、Ｓ４８〜Ｓ５２）と、前記登録端末装置から肖像使用許諾要求への同意又は非同意を示す情報を受信する同意情報受信機能（例えば、図６のＣＰＵ２１０、通信部２５０、図１０のステップＳ５４）と、この同意情報受信機能によって非同意を示す情報が受信された後、前記画像受信機能により受信された画像のうち、非同意を示す情報を送信した登録端末装置に対応する登録者の画像部分を画像処理し、この画像処理済の画像を前記利用者端末装置に送信する画像送信機能（例えば、図６のＣＰＵ２１０、通信部２５０、図１０のステップＳ５６〜Ｓ６２、図１１のステップＳ７２）と、
を実現させることを特徴とする。
【００３０】
請求項１２又は１５に記載の発明によれば、予め肖像権の保証を望む登録者の画像と登録端末装置とを対応付けて記憶しておき、利用者端末装置から受信した撮影画像に登録者の画像が含まれているか否かを判定する。そして、該撮影画像に登録者の画像が含まれている場合には、当該登録者の登録端末装置に肖像使用許諾要求信号を送信する。そして、この肖像使用許諾要求信号の送信先から画像の使用に非同意の内容の返信を受信した場合には、受信した撮影画像のうち、非同意の返信をしてきた登録端末装置に対応する登録者が写っている画像部分に画像処理を施し、撮影画像を送信してきた利用者端末に送信することができる。したがって、利用者端末のユーザは撮影した画像を画像処理装置に送信すれば、肖像使用に同意しなかった登録者の画像部分に画像処理がされた画像を、簡単に入手することができる。
【００３１】
請求項１３に記載の画像処理装置（例えば、図１の肖像権保証サーバ装置１２００）は、登録者の画像と登録者の登録端末装置（例えば、図１の端末装置１１００）とを対応づけて記憶している登録者記憶手段（例えば、図６のＲＡＭ２２０、登録者データ記憶領域２２７Ｒ）と、利用者端末装置（例えば、図１の携帯電話機１０００）から画像を受信する画像受信手段（例えば、図６のＣＰＵ２１０、通信部２５０、図１０のステップＳ４０）と、この画像受信手段で画像を受信した前記利用者端末装置と前記登録端末装置との位置情報を取得する位置情報取得手段（例えば、図６のＣＰＵ２１０、通信部２５０、図１５のステップＳ２０２〜Ｓ２１２）と、この位置情報取得手段により取得された位置情報を基にして、前記画像受信手段で画像を受信した利用者端末装置から予め定められている範囲内における前記登録端末装置の存否を判別し存在が確認された際は、存在が確認された登録端末装置に肖像使用許諾要求を送信する許諾要求送信手段（例えば、図６のＣＰＵ２１０、通信部２５０、図１５のステップＳ２１４〜Ｓ２１６）と、前記登録端末装置から肖像使用許諾要求への同意又は非同意を示す情報を受信する同意情報受信手段（例えば、図６のＣＰＵ２１０、通信部２５０、図１５のステップＳ２１８）と、この同意情報受信手段によって非同意を示す情報が受信された後、前記画像受信手段により受信された画像のうち、非同意を示す情報を送信した登録端末装置に対応する登録者の画像部分を画像処理し、この画像処理済の画像を前記利用者端末装置に送信する画像送信手段（例えば、図６のＣＰＵ２１０、通信部２５０、図１５のステップＳ２２４〜Ｓ２３２、図１１のステップＳ７２）と、を備えることを特徴とする。
【００３２】
また、請求項１６に記載の発明のプログラムは、コンピュータに、登録者の画像と登録者の登録端末装置とを対応づけて記憶する登録者記憶機能と、利用者端末装置から画像を受信する画像受信機能と、この画像受信機能で画像を受信した前記利用者端末装置と前記登録端末装置との位置情報を取得する位置情報取得機能（例えば、図６のＣＰＵ２１０、通信部２５０、図１５のステップＳ２０２〜Ｓ２１２）と、この位置情報取得機能により取得された位置情報を基にして、前記画像受信機能で画像を受信した利用者端末装置から予め定められている範囲内における前記登録端末装置の存否を判別し存在が確認された際は、存在が確認された登録端末装置に肖像使用許諾要求を送信する許諾要求送信機能（例えば、図６のＣＰＵ２１０、通信部２５０、図１５のステップＳ２１４〜Ｓ２１６）と、前記登録端末装置から肖像使用許諾要求への同意又は非同意を示す情報を受信する同意情報受信機能（例えば、図６のＣＰＵ２１０、通信部２５０、図１５のステップＳ２１８）と、この同意情報受信機能によって非同意を示す情報が受信された後、前記画像受信機能により受信された画像のうち、非同意を示す情報を送信した登録端末装置に対応する登録者の画像部分を画像処理し、この画像処理済の画像を前記利用者端末装置に送信する画像送信機能（例えば、図６のＣＰＵ２１０、通信部２５０、図１５のステップＳ２２４〜Ｓ２３２、図１１のステップＳ７２）と、を実現させることを特徴とする。
【００３３】
請求項１３又は１６に記載の発明によれば、予め肖像権の保証を望む登録者の画像と登録端末装置とを対応付けて記憶しておき、利用者端末装置から撮影画像を受信したならば、この利用者端末装置と登録端末装置との位置情報を取得し、利用者端末装置から所定範囲内に存在する登録端末装置に、肖像許諾要求を送信する。
そして、肖像許諾要求を送信した登録端末装置から、肖像使用に非同意の返信を受信した場合、受信した撮影画像のうち、非同意を示す情報を送信した登録端末装置に対応する登録者の画像部分を画像処理し、この画像処理済の画像を前記利用者端末装置に送信することができる。したがって、利用者端末のユーザは撮影した画像を画像処理装置に送信すれば、肖像使用に同意しなかった登録者の画像部分に画像処理がされた画像を、簡単に入手することができる。
【００３４】
請求項１４に記載の発明の利用者端末装置（例えば、図１の携帯電話機１０００）のは、被写体を撮影する撮影手段（例えば、図１のカメラモジュール１００２、図５の撮影部１１２、図９のステップＳ２）と、この撮影手段により撮影された撮影画像を、登録者による肖像使用許諾結果に応じてこの撮影画像のうち登録者の画像部分を画像処理する画像処理装置（例えば、図１の肖像権保証サーバ装置１２００）に送信する送信手段（例えば、図１の無線通信モジュール１００６、図５の通信部１５０、図９のステップＳ８〜Ｓ１０）と、この送信手段により撮影画像と肖像権保証要求とを送信後、前記画像処理装置から、前記登録者によって肖像使用が許諾されなかった場合に対応する処理がなされた第１の画像（例えば、図３（リ）の非同意時の修正画像データ２２５）と、前記登録者によって肖像使用が許諾された場合に対応する処理がなされた第２の画像（例えば、図３（リ）の同意時の修正画像データ２２５）とのいずれか一方の画像を受信する受信手段（例えば、図１の無線通信モジュール１００６、図５の通信部１５０、図９のステップＳ１２）と、を備えることを特徴とする。
【００３５】
また、請求項１７に記載の発明のプログラムは、コンピュータに、被写体を撮影する撮影機能（例えば、図１のカメラモジュール１００２、図５の撮影部１１２、図９のステップＳ２）と、この撮影機能により撮影された撮影画像を、登録者による肖像使用許諾結果に応じてこの撮影画像のうち登録者の画像部分を画像処理する画像処理装置に送信する送信機能（例えば、図１の無線通信モジュール１００６、図５の通信部１５０、図９のステップＳ８〜Ｓ１０）と、この送信機能により撮影画像と肖像権保証要求とを送信後、前記画像処理装置から、前記登録者によって肖像使用が許諾されなかった場合に対応する処理がなされた第１の画像と、前記登録者によって肖像使用が許諾された場合に対応する処理がなされた第２の画像とのいずれか一方の画像を受信する受信機能（例えば、図１の無線通信モジュール１００６、図５の通信部１５０、図９のステップＳ１２）と、を実現させることを特徴とする。
【００３６】
請求項１４に記載の発明によれば、利用者端末装置で撮影した画像を画像処理装置に送信すると、画像処理装置によって予め登録されている登録者に当該撮影画像の肖像使用許諾への同意／非同意の確認がとられ、同意／非同意に応じた画像処理が行われる。そして、利用者端末装置へ、画像処理装置から画像処理後の第１画像と第２画像のうち少なくとも何れか一方の画像が送信される。
【発明の効果】
【００３７】
本発明によれば、予め肖像権の保証を望む登録者の画像と登録端末装置の通信先とを対応付けて記憶しておき、利用者端末装置から画像を受信したならば、該画像に登録者の画像が含まれているか否かを判定し、登録者の画像が含まれている場合には、当該登録者の登録端末装置に肖像使用許諾要求信号を送信する。
そして、肖像使用許諾要求信号の送信先から画像の使用に同意する内容の返信を受信した場合、登録者が写っている画像部分には画像処理をせずにそのままとし、非同意の内容の返信を受信した場合には、登録者が写っている画像部分に画像処理を施すことで、誰が写っているか分からなくする。更に、肖像許否処理が施された画像を予め登録されている送信先に送信することによって、利用者端末装置を使用するユーザが予め登録されている送信先に、登録者についての肖像権が保証された画像を送信することができる。
【００３８】
また、予め肖像権の保証を望む登録者の画像と登録端末装置の通信先とを対応付けて記憶しておき、利用者端末装置から画像を受信したならば、この利用者端末装置と登録端末装置の位置情報を取得し、取得した位置情報に基づいて該利用者端末装置から所定範囲内に位置する登録端末装置を選択する。そして、選択した登録端末装置に肖像使用許諾要求信号を送信し、肖像使用許諾要求信号の送信先から、画像の使用に同意する内容の返信を受信した場合、登録者が写っている画像部分には画像処理をせずにそのままとする。一方、非同意の内容の返信を受信した場合には、登録者が写っている画像部分に画像処理を施すことで、誰が写っているか分からなくすることによって、肖像許否処理が施された画像を予め登録されている送信先に送信することができる。
【００３９】
更に、前記登録者記憶手段は振込先の情報を更に対応づけて記憶し、肖像権使用に同意を示す情報が受信された場合に、所定の金融機関システムと通信を行って、同意を示す情報を送信した通信先の振込先に所定額を振り込む指示信号を送信することにより、肖像使用への謝礼を代行させることができる。
【００４０】
また、秘匿処理対象者の画像を記憶しておき、受信した画像内にこの秘匿処理対象者の画像が含まれているか否かを判定し、含まれていると判定した場合に、当該秘匿処理者の画像部分には許諾要求信号の送信無しに画像処理を施すことができる。例えば、未成年の登録者を秘匿処理対象者とするならば、未成年については無条件で画像処理を施し、その肖像を確実に保護することが可能となる。
【００４１】
また、本発明によれば、登録者の画像を記憶しておき、被写体を電子的に撮影した画像内にこの登録者の画像が含まれているか否か判定し、含まれている場合には当該登録者の画像部分を画像処理し、含まれていない場合には画像処理を行わない肖像許否処理を実行することによって、撮影した画像に予め記憶されている登録者の画像が含まれている場合に、当該登録者の画像部分を画像処理することができる。したがって、登録者の肖像を保証することができる。
【００４２】
更に、前記撮影手段により撮影された画像のうち、肖像許否処理の後の画像を所定の出力方式で出力し、肖像許否処理前の画像の出力を禁止とすることによって肖像権が保証されていないまま画像が利用されるのを防ぐことができる。
【００４３】
また、肖像許否処理済みの画像に所定の証明情報を付加することによって、証明情報の有無によって肖像権が保証されているか否かを簡単に区別することができる。
【００４４】
また、本発明によれば、予め肖像権の保証を望む登録者の画像と登録端末装置とを対応付けて記憶しておき、利用者端末装置から受信した撮影画像に登録者の画像が含まれているか否かを判定する。そして、登録者の画像が含まれている場合には、当該登録者の登録端末装置に肖像使用許諾要求信号を送信する。そして、肖像使用許諾要求信号の送信先から画像の使用に非同意の内容の返信を受信した場合には、受信した撮影画像のうち、非同意を示す情報が受信された登録端末装置に対応する登録者が写っている画像部分に画像処理を施し、画像を送信してきた利用者端末に送信することができる。したがって、利用者端末のユーザは撮影した画像を画像処理装置に送信すれば、肖像使用に同意しなかった登録者の画像部分に画像処理がされた画像を、簡単に入手することができる。
【００４５】
また、予め肖像権の保証を望む登録者の画像と登録端末装置とを対応付けて記憶しておき、利用者端末装置から撮影画像を受信したならば、この利用者端末装置と登録端末装置との位置情報を取得し、利用者端末装置から所定範囲内に存在する登録端末装置に、肖像許諾要求を送信する。そして、肖像許諾要求を送信した登録端末から、肖像使用に非同意の返信を受信した場合、受信した撮影画像のうち、非同意を示す情報を送信した登録端末装置に対応する登録者の画像部分を画像処理し、この画像処理済の画像を前記利用者端末装置に送信することができる。したがって、利用者端末のユーザは撮影した画像を画像処理装置に送信すれば、肖像使用に同意しなかった登録者の画像部分に画像処理がされた画像を、簡単に入手することができる。
【００４６】
また、本発明によれば、撮影された撮影画像を、登録者による肖像使用許諾結果に応じてこの撮影画像のうち登録者の画像部分を画像処理する画像処理装置に送信することによって、画像処理装置によって予め登録されている登録者に当該撮影画像の肖像使用許諾への同意／非同意の確認がとられ、同意／非同意に応じた画像処理が行われた第１画像と第２画像のうち少なくとも何れか一方の画像が取得することができる。
【発明を実施するための最良の形態】
【００４７】
〔第１実施形態〕
本発明を実施する第１の実施形態として、画像処理装置の一つであるカメラ付き携帯電話機で撮影された画像について肖像権を保証し、メディアへ投稿（或いは納品）する場合を例に挙げて説明する。尚、本実施形態は、カメラ付き携帯電話機に限らず、デジタルカメラ機能と通信機能とを具備するＰＨＳ（Personal Handyphone System）端末やパソコン、ＰＤＡ（Personal Digital Assistant）、携帯用ゲーム機といった電子装置にも同様に適用可能である。
【００４８】
[構成の説明]
図１は、本実施形態におけるシステム構成の一例を示す図である。同図に示すように、カメラ付き携帯電話機１０００（以下、単に「携帯電話機１０００」と言う。）と、被写体となる人物（以下、単に「モデル」と言う。）４，６，８の有する端末装置１１００と、肖像権保証サービス提供者の使用する肖像権保証サーバ装置１２００と、出版社等のメディアが使用するメディアサーバ装置１３０２と、金融機関が使用する金融機関サーバ装置１３０４とが、通信回線２を介して互いにデータ通信自在となっている。各要素間におけるデータ通信は、電子メールやウェブサイトを利用する方式や、ピアツーピア方式などを適宜利用するものとする。
【００４９】
尚、ここで言う「通信回線」とは、データ授受が可能な通信路を意味する。即ち、通信回線とは、直接接続のための専用線（専用ケーブル）やイーサネット（登録商標）等によるＬＡＮ（Local Area Network）の他、電話通信網やケーブル網、インターネット等の通信網を含む意味であり、また通信方法については有線／無線を問わない意味である。
【００５０】
携帯電話機１０００は、所謂「カメラ付き携帯電話機」である。具体的には、携帯電話機１０００は、光学レンズやＣＣＤ（Charge Coupled Diode）素子などを備えたカメラモジュール１００２と、撮影された画像をプレビュー表示するディスプレイ１００４と、携帯電話網の基地局と無線通信する無線通信モジュール１００６と、ダイヤルや撮影操作を入力する操作入力キー１０１０と、着脱自在なメモリカード１０１２へのデータの読み書きが可能なスロット１０１４と、ＣＰＵ等を搭載し演算処理によって装置を統合的に制御する制御ユニット１０２０と、電源部（図示略）とを備える。
【００５１】
携帯電話機１０００のユーザが、カメラモジュール１００２のレンズを被写体となるモデル４，６，８に向けて操作入力キー１０１０から所定の撮影操作を入力すると、制御ユニット１０２０が、カメラモジュール１００２に搭載されたＣＣＤ素子で取得された輝度情報に基づいて被写体の画像データを作成し、この画像データをメモリカード１０１２に記憶させ保存することによって画像を撮影する。
【００５２】
端末装置１１００は、例えば、携帯電話機やＰＤＡ、パソコンなどである。端末装置１１００は、画像や文字を表示するディスプレイ１１０４と、通信回線２に接続するための通信モジュール１１０６と、ダイヤルや撮影操作を入力する操作入力キー１１１０と、装置を統合的に制御する制御ユニット（図示略）と、電源部（図示略）とを備える。
【００５３】
肖像権保証サーバ装置１２００は、パソコンやサーバ装置によって実現され、通信回線２を介してアクセスしてくる外部装置との間でデータ通信を行うことができる。肖像権保証サーバ装置１２００には、肖像権の保証を要望する人物（登録者）の登録者データ２２７が予め記憶されている。登録者データ２２７には、登録者ＩＤ２２７ａと、登録者が撮影されていることを識別するために必要なデータである登録者特定情報２２７ｂとが対応づけられて格納されている。
【００５４】
メディアサーバ装置１３０２及び金融機関サーバ装置１３０４は、パソコンや汎用サーバ装置によって実現され、メディア企業及び金融機関がそれぞれ業務に使用する情報処理装置の一つである。メディアサーバ装置１３０２及び金融機関サーバ装置１３０４は、それぞれ通信回線２を介してアクセスしてくる外部装置との間でデータ通信を行うことができる。メディアサーバ装置１３０２への画像データの送信は、本実施形態における携帯電話機１０００で撮影された画像の最終利用形態に該当し、メディアサーバ装置１３０２で受信された画像は例えば出版や放送に利用される。金融機関サーバ装置１３０４は、外部からの依頼に応じて指定口座間における振り込みを実行することができる。
【００５５】
[概要の説明]
図２〜図４は、本実施形態における肖像権保証の概要を説明するための連続する概念図である。図２に示すように、肖像権保証サーバ装置１２００には、当該サービスを利用するユーザのユーザ登録情報に相当する利用者データ２２６と、肖像権の保証を求める登録者の登録者データ２２７とが予め記憶されている（同図（イ））。
【００５６】
利用者データ２２６は、例えば、利用者ＩＤ２２６ａと、当該利用者の所有する端末装置である携帯電話機１０００の個体識別情報に当る利用者端末ＩＤ２２６ｂと、利用者への連絡先情報に該当する該携帯電話機１０００の利用者端末アドレス２２６ｃと、利用者の銀行口座を特定するための情報である利用者口座情報２２６ｄと、利用者が携帯電話機１０００で撮影した画像の使用目的や使用期間などを格納する使用条件２２６ｅとを、利用者毎に対応づけて格納している。
【００５７】
登録者データ２２７は、例えば、登録者ＩＤ２２７ａと、撮影された画像の中から登録者が写っているか否かを判定する基準となる情報である登録者特定情報２２７ｂと、登録者の所有する端末装置１１００の個体識別情報である登録端末ＩＤ２２７ｃと、登録者への連絡先情報（通信先）に該当する端末装置１１００の登録者端末アドレス２２７ｄと、登録者の銀行口座を特定するための情報である登録者口座情報２２７ｅと、当該登録者の肖像使用料として登録者が予め設定する謝礼設定金額２２７ｆと、年齢２２７ｇとを、登録者毎に対応付けて格納している。
【００５８】
携帯電話機１０００のユーザは、所定の操作を入力して、友人であるモデル６，８の様子を撮影する。携帯電話機１０００は撮影した画像を画像データとして一時的に保存する（同図（ロ））。ここで撮影された画像１２４（以下、「撮影画像データ」と言う。）には、本来写っていて欲しい被写体であるモデル６，８とは別に、ユーザの知らないモデル４が写っており、当該画像をメディアに投稿するにあたってはモデル４の肖像権を保証する必要がある。本実施形態では、撮影画像データ１２４を肖像権保証サーバ装置１２００に送信してモデル４の肖像権の保証を得る。
【００５９】
そこで、ユーザは先ず携帯電話機１０００で、モデル６，８が写っている部分にマーキングＭを施して、モデル６，８については事前に肖像使用許諾を受けていることを撮影画像データ１２４に添付する（同図（ハ））。
【００６０】
携帯電話機１０００は、通信回線２を介して肖像権保証サーバ装置１２００にアクセスし、ユーザが予め登録した際に発給されている利用者ＩＤ１７４とともに撮影画像データ１２４を送信する（同図（ニ））。この撮影画像データ１２４には、先のマーキングに関するマーキング情報１２４ａが添付されている。マーキング情報１２４ａは、例えばマーキング位置の代表点座標値としても良いし、αチャンネルのマスキング情報であっても良い。
【００６１】
図３において、携帯電話機１０００から撮影画像データ１２４を受信した肖像権保証サーバ装置１２００は、マーキングＭが施されている人物を除き、受信した画像に登録者データ２２７に登録されている人物が撮影されているか否かを判定する。すなわち、受信した画像の被撮影人物を登録者の中から特定する（同図（ホ））。本実施形態では、モデル４，６，８ともに登録者データ２２７に登録されているが、マーキングされているモデル６，８を除くモデル４が被撮影人物として特定される（以下、被撮影人物として特定された登録者を「特定登録者」と言う。）。
【００６２】
登録者データ２２７に登録されている中から被撮影人物が特定できた場合、肖像権保証サーバ装置１２００は、特定登録者（この場合、モデル４）に対応して予め登録されている登録者端末アドレス２２７ｄに、肖像使用許諾の要求を送信する（同図（へ））。例えば、電子メールで、該登録者が写っている画像の利用を望む人がいて、その使用許可を求めている旨の文面とともに、受信した撮影画像データ１２４と使用条件２２６ｅとを送信するとしても良い。以下、これを「肖像使用許諾要求」と言う。
【００６３】
モデル４が所有する端末装置１１００ａが肖像使用許諾要求を受信すると、モデル４は肖像使用許諾要求を確認して、肖像使用に同意するか否かを入力し（同図（ト））、入力結果を肖像権保証サーバ装置１２００に返信する（同図（チ））。
【００６４】
肖像権保証サーバ装置１２００は、端末装置１１００ａから肖像使用許諾要求への同意／非同意の返信を受信する。非同意の返信を受信した場合には、携帯電話機１０００から受信した撮影画像のうち当該特定登録者（モデル４）が撮影されている部分を秘匿するようにモザイク処理１３を施し、モデル４が写っていることが分からない修正画像データ２２５を生成する。同意する返信を受信した場合には、秘匿のための画像処理は実行せずに修正画像データ２２５を生成する（同図（リ））。
【００６５】
次いで、図４に示すように、肖像権保証サーバ装置１２００は、肖像権の使用に関する謝礼をサポートする。肖像権保証サーバ装置１２００は、携帯電話機１０００に肖像使用許諾要求に同意してくれた登録者ＩＤである同意者ＩＤ２２８（この場合モデル４の登録者ＩＤ）と、肖像権保証を行ったことを示す電子署名（肖像権保証電子署名）を施した修正画像データ２２５とを送信する（同図（ヌ））。
携帯電話機１０００はこれを受信し、ユーザは修正画像と同意者への謝礼の必要性を確認して謝礼の許可を入力する（同図（ル））。謝礼の許可が入力された場合には、携帯電話機１０００は、肖像使用に係る契約が成立したと判断し、受信した修正画像データ２２５を保存してユーザが利用可能にするとともに、携帯電話機１０００は利用者ＩＤ１７４と謝礼同意情報とを対応づけて肖像権保証サーバ装置１２００に返信する（同図（ヲ））。反対に、謝礼不許可が入力された場合には契約が不成立であると判断し、携帯電話機１０００は利用者ＩＤ１７４と謝礼非同意情報とを対応づけて肖像権保証サーバ装置１２００に返信するとともに、撮影画像データ１２４と修正画像データ２２５とを消去する（同図（ワ））。
【００６６】
肖像権保証サーバ装置１２００は、この返信を受信して謝礼への同意を確認し、ユーザが予め登録していた銀行口座から同意者の銀行口座へ所定の謝礼金を振り込むように、金融機関サーバ装置１３０４に振り込み要求を送信する（同図（カ））。金融機関サーバ装置１３０４は要求に従って振り込みを実施し、肖像権使用に係る謝礼が実行される（同図（ヨ））。
【００６７】
また、肖像権保証サーバ装置１２００は、この返信を受信して謝礼への同意を確認し、ユーザが予め登録しておいた転送先に、利用者ＩＤ１７４とともに肖像権保証を行ったことを示す電子署名を施した修正画像データ２２５を送信する（同図（タ））。従って、本実施形態では、撮影した画像をメディアに投稿するのでメディアサーバ装置１３０２に送信する。これによって、肖像権が保証された画像を投稿することができる。
【００６８】
[機能ブロックの説明]
図５は、本実施形態における携帯電話機１０００の機能構成の一例を示す要部機能ブロック図である。同図に示すように、携帯電話機１０００は、ＣＰＵ（Central  Processing  Unit）１１０と、撮影部１１２と、操作入力部１１４と、表示部１１６と、ＲＡＭ（Random  Access  Memory）１２０と、ＲＯＭ（Read  Only  Memory）１４０と、通信回線２を介して外部装置１５２とデータ通信可能とする通信部１５０と、記憶媒体１７２へのデータの読み書きを行う記憶媒体読取部１７０とを備える。そして、これらはデータバス１８０によって接続されている。
【００６９】
ＣＰＵ１１０は、ＲＯＭ１４０や記憶媒体１７２に記憶されている各種のプログラムやデータを読み出し、ＲＡＭ１２０を一時的な記憶領域にしながら演算処理することによって、上記各機能ブロックを制御して携帯電話機１０００を統合的に制御する。
【００７０】
ＲＡＭ１２０は、書き換え可能な半導体素子で構成されており、ＣＰＵ１１０が実行する各種プログラムやこれらプログラムにより処理されたデータなどを一時的に記憶する。具体的には、ＲＡＭ１２０は、撮影部１１２で撮影された撮影画像データ１２４を一時的に記憶する撮影画像データ記憶領域１２４Ｒと、肖像権保証サーバ装置１２００から受信した修正画像データ２２５を一時的に記憶する修正画像データ記憶領域１２５Ｒとを有する。
【００７１】
ＲＯＭ１４０は、カメラ付き携帯電話機としての基本的な諸機能を実現させるためのシステムプログラム１４２と、ＣＰＵ１１０に肖像権保証サーバ装置１２００にアクセスして肖像権保証サービスを利用する機能を実現させるための肖像権保証サービス利用プログラム１４３と、携帯電話機１０００の個体識別情報である利用者端末ＩＤ１４５とを記憶している。肖像権保証サービス利用プログラム１４３は、更に、撮影画像にマーキング情報を添付する機能を実現させるためのマーキングプログラム１４４を含んでいる。
【００７２】
撮影部１１２は、ガラスやプラスチックなどからなる光学レンズと、ＣＣＤ（Charge Coupled Device）やＣＭＯＳ（Complementary Metal Oxide Semiconductor）などの撮像素子、及びタイミングジェネレータなどから構成されており、光学レンズを介して入力される被写体の像を撮像素子で電気信号に変換して画像データを生成するようになっている。図１のカメラモジュール１００２がこれに該当する。
【００７３】
操作入力部１１４は、ユーザによる各種の入力を受け付け、操作入力信号をＣＰＵ１１０に出力する。具体的には、ボタンスイッチ、レバー、ジョグダイヤル、タッチパネルなどによって実現することができる。図１では、操作入力キー１０１０がこれに該当する。本実施形態では、操作入力部１１４の所定キーがシャッタキーに対応し、当該キーが入力されると撮影実行のトリガー信号をＣＰＵ１１０に出力する。
【００７４】
表示部１１６は、撮影部１１２で撮影された画像やテキスト、図形などを表示出力する。具体的には、ＬＣＤ（Liquid Crystal Display）やＥＬＤ（Electronic Luminescent Display）といった表示素子やこれらのドライバ回路、表示用のバッファメモリによって実現される。図１では、ディスプレイ１００４がこれに該当する。
【００７５】
通信部１５０は、通信回線２を介して外部装置１５２とのデータ通信を実現する。具体的には、携帯電話サービス事業者が設置した無線基地局（図示略）との間で着信発信などに係る無線信号の送受信をおこなうアンテナ、ＲＦ変換器等によって実現される携帯電話通信部１５４を有する。図１では、無線通信モジュール１００６がこれに該当する。
【００７６】
記憶媒体１７２は、撮影された画像のデータや各種のプログラムやデータを記憶する。具体的には、フラッシュメモリなど着脱自在型な情報記憶媒体によって実現される。図１では、メモリカード１０１２がこれに該当する。記憶媒体１７２には、当該携帯電話機１０００のユーザが肖像権保証サービスのユーザ登録時に発給された利用者ＩＤ１７４が記憶されている。また、記憶媒体７２には、肖像権保証サービスで保証を受けた修正画像データ１７６が記憶され保存される。
【００７７】
記憶媒体読取部１７０は、記憶媒体１７２へのデータの書き込みやデータの読み出しをする。具体的には、記憶媒体１７２のメディアの種類に応じた読み書き装置及びそのドライバ回路等によって実現される。図１では、スロット１０１４がこれに該当する。
【００７８】
図６は、本実施形態における肖像権保証サーバ装置１２００の機能構成の一例を示す要部機能ブロック図である。同図に示すように、ＣＰＵ２１０と、操作入力部２１４と、表示部２１６と、ＲＡＭ２２０と、ＲＯＭ２４０と、通信回線２を介して外部装置２５２とデータ通信を実現する通信部２５０と、記憶媒体２７２へのデータの読み書きを行う記憶媒体読取部２７０とを備える。そして、これらはデータバス２８０によって接続されている。
【００７９】
ＣＰＵ２１０は、ＲＯＭ２４０や記憶媒体２７２に記憶されている各種のプログラムやデータを読み出し、ＲＡＭ２２０を一時的な記憶領域にしながら演算処理することによって、上記各機能ブロックを制御して肖像権保証サーバ装置１２００を統合的に制御する。
【００８０】
ＲＡＭ２２０は、携帯電話機１０００から受信した情報を記憶する領域２２０−１として、携帯電話機１０００から受信した利用者ＩＤを記憶する利用者ＩＤ記憶領域２２１Ｒと、携帯電話機１０００から受信した肖像権保証を必要とする撮影画像データ１２４を記憶する撮影画像データ記憶領域２２２Ｒとを有する。
【００８１】
また、ＲＡＭ２２０は、肖像権を保証した画像に関する記憶領域２２０−２として、撮影画像に写っていると特定された登録者の登録者ＩＤを記憶する特定登録者ＩＤ記憶領域２２４Ｒと、修正画像データ記憶領域２２５Ｒと、肖像使用に同意した特定登録者の登録者ＩＤを記憶する同意者ＩＤ記憶領域２２８Ｒとを有する。修正画像データ記憶領域２２５Ｒは、受信した画像のうち肖像の使用を認めなかった登録者が写っている部分を秘匿するように画像処理を施した修正画像データ２２５を格納する。また更に、ＲＡＭ２２０は、利用者データ記憶領域２２６Ｒと登録者データ記憶領域２２７Ｒとを有する。
【００８２】
図７は、本実施形態における利用者データ記憶領域２２６Ｒに格納される利用者データ２２６のデータ構成の一例を示す図である。同図に示すように、利用者データ２２６は、利用者ＩＤ２２６ａと、当該利用者の所有する端末装置である携帯電話機１０００の個体識別情報に当る利用者端末ＩＤ２２６ｂと、該携帯電話機１０００のアドレスである利用者端末アドレス２２６ｃと、利用者の銀行口座を特定するための情報である利用者口座情報２２６ｄと、利用者が携帯電話機１０００で撮影した画像の使用目的や使用期間などを格納する使用条件２２６ｅと、肖像権保証電子署名が付された修正画像データ２２５を送信する装置の肖像権保証済画像送信先アドレス２２６ｆとを、利用者毎に対応づけて格納している。本実施形態では、肖像権保証済画像送信先アドレス２２６ｆには、メディアサーバ装置１３０２にアクセスするためのアドレスが格納される。
【００８３】
図８は、本実施形態における登録者データ記憶領域２２７Ｒに格納される登録者データ２２７のデータ構成の一例を示す図である。同図に示すように、登録者データ２２７は、登録者ＩＤ２２７ａと、登録者特定情報２２７ｂと、登録者の所有する端末装置１１００の個体識別情報である登録端末ＩＤ２２７ｃと、登録者への連絡先情報に相当する登録者端末アドレス２２７ｄと、登録者の銀行口座を特定するための情報である登録口座２２７ｅと、当該登録者の肖像使用料として登録者が予め設定した謝礼設定金額２２７ｆと、年齢２２７ｇとが、登録者ごとに対応付けて格納している。
【００８４】
登録者特定情報２２７ｂは、撮影画像中に登録者が写っているか否かを判定する基準となる情報であって、例えば、登録者の顔や頭部、全身像などの画像情報、又はその特徴を数値で表現した特徴値といった情報である。本実施形態では、この登録者特定情報２２７ｂを用いて人物特定（「個人認識」、「人物照合」とも言う。）を行って、携帯電話機１０００で撮影された画像に登録者が写っているか否かを判定する。具体的な手法としては、例えば「固有顔」と呼ばれるパターンマッチング技術や、頭部部分のＲＧＢ値の統計を登録者特定情報２２７ｂに登録されている表情のＲＧＢ値の統計値と比較する技術など、公知の人物特定や個人特定、個人認証の画像処理技術、パターンマッチング技術によって実現することができる。
【００８５】
尚、利用者データ２２６及び登録者データ２２７をＲＡＭ２２０に記憶する構成としているが、データバス１８０で接続されたデータベース装置を別途設け、ＲＡＭ２２０の代わりにデータベース装置に記憶する構成としても良いのは勿論である。
【００８６】
図６において、ＲＯＭ２４０は、システムプログラム２４１と、肖像権保証プログラム２４２とを記憶している。肖像権保証プログラム２４２は、更に（１）登録者特定情報２２７ｂを用いた人物特定によって携帯電話機１０００で撮影された画像に登録者が写っているか否かを判定する機能をＣＰＵ２１０に実現させるための被撮影人物特定プログラム２４３と、（２）肖像使用に非同意な登録者が写っている部分を、何が写っているかわからないように（秘匿するように）画像処理する機能を実現させるための画像処理プログラム２４４と、（３）肖像権の保証がされていることを示す情報を画像に電子署名する機能を実現させるための電子署名プログラム２４５と、（４）金融機関サーバ装置１３０４とアクセスして振り込みの指示をして肖像権使用承諾への謝礼をユーザに代わって代行する機能を実現させる謝礼代行プログラム２４６とを含んでいる。
【００８７】
［処理の流れの説明］
図９〜図１２は、本実施形態における処理の流れを説明するためのフローチャートである。図９は携帯電話機１０００（利用者端末）における処理、図１０〜図１１は肖像権保証サーバ装置１２００における処理、図１２は端末装置１１００（登録者端末）における処理の流れを、それぞれ示している。尚、携帯電話機１０００及び肖像権保証サーバ装置１２００は、それぞれ起動時に肖像権保証サービス利用プログラム１４３或いは肖像権保証プログラム２４２を読み出して実行しているものとする。
【００８８】
図９に示すように、先ずユーザが操作入力キー１０１０から所定の撮影操作を入力すると、カメラモジュール１００２が画像を撮影する（ステップＳ２）。撮影された画像は、ＲＡＭ１２０の撮影画像データ記憶領域１２４Ｒに一時的に保存される（ステップＳ４）。
【００８９】
ここで、ユーザによって所定の操作が入力されると、ＣＰＵ１１０はマーキングプログラム１４４を読み出して実行し、既に肖像使用の許諾が得られている人物が写っている部分にマーキングする（ステップＳ６）。具体的には、図１４(ａ)に示すように、ディスプレイ１００４に撮影画像データ１２４をプレビュー表示させるとともに、操作入力キー１０１０で移動と位置指定できるポインタ１４を表示させる。そして、所定の操作を入力してポインタ１４の示す位置を選択すると、この位置の画面位置座標値をマーキング情報として撮影画像データ１２４に添付する。この際、マーキングされた位置に所定の印（マーキングＭ）を、撮影画像データ１２４の画素には反映されないように擬似的に（表示バッファ上の操作として）表示するとより分かり易く好適である。或いは、αチャンネルにマスキングデータを書き込むとしても良い。ここで、マーキングが施された人物は、肖像権保証サーバ装置１２００における肖像権保証の対象外となる。
【００９０】
次に、ＣＰＵ１１０は通信部１５０を制御し、通信回線２を介して肖像権保証サーバ装置１２００にアクセスする（ステップＳ８）。そして、利用者ＩＤ１７４と、マーキング情報が添付された撮影画像データ１２４とを肖像権保証サーバ装置１２００に送信する（ステップＳ１０、通信Ｃ１）。
【００９１】
図１０において、肖像権保証サーバ装置１２００は、携帯電話機１０００から利用者ＩＤ１７４と撮影画像データ１２４とを受信し、それぞれＲＡＭ２２０の利用者ＩＤ記憶領域２２１Ｒ及び撮影画像データ記憶領域２２２Ｒに格納する（ステップＳ４０）。
【００９２】
次に、肖像権保証サーバ装置１２００のＣＰＵ２２０は、受信した撮影画像中に人物が撮影されている部分を識別する（ステップＳ４２；以下、ここで識別された部分を単に「識別部分」と言う。）。例えば、画像中の肌色領域を検出するなど人間に関係の有る特徴量を抽出して識別するなど、公知の画像処理技術を適宜使用することによって実現できる。  
【００９３】
次に、ＣＰＵ２２０は、マーキングが施されている部分を識別部分から除外する（ステップＳ４３）。具体的には、マーキング情報が示す座標値が含まれる識別部分を除外する。そして、残った全ての識別部分についてループ１の処理を実行する（ステップＳ４４〜Ｓ６４）。
【００９４】
ループ１では、先ず処理対象の識別部分を登録者データ２２７と照合して、該識別部分に撮影されている人物を特定する（ステップＳ４６）。例えば、登録者特定情報２２７ｂとして登録された顔画像そのものをパターンとして扱う「固有顔(eigenface)」と称される統計的パターン認識手法によって特定することができるが、これに限らず、その他の公知の人物特定に係る認識技術や照合技術、パターンマッチング技術を適宜利用して良いのは勿論である。
【００９５】
人物特定の結果、登録者内に該識別部分に写っている人物に該当する者がいなければ（ステップＳ４８；ＮＯ）、該識別部分から更に頭部を識別する（ステップＳ６０）。そして、頭部部分を秘匿するためにモザイク処理を実行して、撮影画像データ記憶領域２２２Ｒに格納されている撮影画像データ１２４を修正し、ＲＡＭ２２０の修正画像データ記憶領域２２５Ｒに格納する（ステップＳ６２）。
【００９６】
人物特定の結果、登録者内に該識別部分に写っている人物に該当する者がいる場合（ステップＳ４８；ＹＥＳ）、登録者データ２２７の年齢２２７ｇを参照して、当該特定登録者が未成年であるか否かを判定する（ステップＳ５０）。
【００９７】
当該特定登録者が未成年である場合には（ステップＳ５０；ＹＥＳ）、頭部部分を秘匿するようにモザイク処理を実行する（ステップＳ６０→Ｓ６２）。すなわち、未成年については無条件で秘匿するように画像処理する。一方、当該特定登録者が未成年ではない場合（ステップＳ５０；ＮＯ）、ＣＰＵ２２０は予め登録されている登録者端末アドレス２２７ｄに、肖像使用許諾要求を送信する（ステップＳ５２；通信Ｃ２）。この肖像使用許諾要求には、例えば、登録者を撮影した画像の使用を希望する人物がいることを伝える文面に、利用者が予め登録している使用条件２２６ｅと、登録者が予め登録している謝礼設定金額２２７ｆと、撮影画像データ記憶領域２２２Ｒに格納されている撮影画像データ１２４とが添付される。
【００９８】
図１２において、当該登録者の端末装置１１００は肖像使用許諾要求を受信し（ステップＳ１００）、添付されている使用条件２２６ｅと、謝礼設定金額２２７ｆと、撮影画像データ１２４とをディスプレイ１１０４に表示する（ステップＳ１０２）。例えば、図１３（ａ）に示すように、表示画面内には登録者を撮影した画像の使用を希望する人物がいることを伝える文面表示エリアＡ１と、撮影画像データ１２４を表示する画像表示エリアＡ２と、使用条件及び謝礼設定金額を表示する条件表示エリアＡ３とが含まれている。ＪＡＶＡ（登録商標）等によるアプリケーションプログラムを更に添付し、端末装置１１００で自動実行させる場合には、肖像使用への同意／非同意を入力する選択ボタンＡ４とが更に含まれるようにするとより好適である。
【００９９】
当該端末装置のユーザである特定登録者が、表示された画像と使用条件とを考慮して、操作入力キー１１１０を操作して肖像使用に同意するか拒否するか（非同意か）を選択する（ステップＳ１０４）。電子メールで肖像使用許諾要求を受信した場合には、使用を許可するなら「Ｙ」、否許可なら「Ｎ」を返信の文頭に入力するとしても良い。そして、端末装置１１００は同意／非同意の選択結果を肖像権保証サーバ装置１２００に返信する（ステップＳ１０６；通信Ｃ３）。
【０１００】
図１０において、肖像権保証サーバ装置１２００は、肖像使用許諾要求を送信した後、所定時間内に肖像使用への同意／非同意の選択結果を受信しなかった場合には（ステップＳ５４；ＮＯ）、当該特定登録者とは連絡がつかなかったと判断し、頭部部分を秘匿するためにモザイク処理を実行する（ステップＳ６０→Ｓ６２）。すなわち、無条件で秘匿するように画像処理する。
【０１０１】
一方、所定時間内に同意／非同意の選択結果を含む返信を受信した場合（ステップＳ５４；ＹＥＳ）、返信内容が「同意」であれば（ステップＳ５６；同意）、ＣＰＵ２１０は当該特定登録者の登録者ＩＤ２２７ａを、ＲＡＭ１２０の同意者ＩＤ記憶領域２２８Ｒに記憶させ（ステップＳ５８）、肖像使用が許諾されたので撮影画像データ２２６の処理対象となっている識別部分には画像処理を加えない。
【０１０２】
所定時間内に同意／非同意の選択結果を含む返信を受信したが、返信内容が「非同意」の場合（ステップＳ５６；非同意）、頭部部分を秘匿するためにモザイク処理を実行する（ステップＳ６０→Ｓ６２）。すなわち、無条件で秘匿するように画像処理する。
【０１０３】
以上のループ１を人物が撮影されていると識別された全ての部分について実行することによって、登録者に同意を得られた部分はそのまま残し、登録者に該当しない部分と登録者から同意を得られなかった部分についてはモザイク処理をして秘匿することができる。
【０１０４】
図１０において、ループ１の処理を終了したならば、ＣＰＵ２１０は修正画像データ２２５に対して肖像権保証を経たことを証明するために肖像権保証電子署名を施す（ステップＳ７０）。具体的には、同意者ＩＤ記憶領域２２８Ｒに格納されている、肖像使用に同意した登録者ＩＤ２２７ａと、日付、肖像権保証サービス提供者名を電子署名する。電子署名は公知の技術を適宜利用して実現できる。
【０１０５】
次に、肖像権保証サーバ装置１２００は、修正画像データ２２５と、同意者ＩＤ記憶領域２２８Ｒに格納されている同意者ＩＤ２２８と、これに対応する謝礼設定金額２２７ｆとを、携帯電話機１０００に返信する（ステップＳ７２；通信Ｃ４）。
【０１０６】
図９において、携帯電話機１０００は、修正画像データ２２５と、同意者ＩＤ２２８（肖像使用に同意した登録者ＩＤ２２７ａ）と、これに対応する謝礼設定金額２２７ｆとを受信し（ステップＳ１２；ＹＥＳ）、ディスプレイ１００４に肖像使用に同意してくれた登録者（同意者）への謝礼が必要である旨表示する（ステップＳ１４）。
例えば、図１４（ｂ）に示すように、肖像権を保証するために謝礼が必要である旨の文面を表示するテキストエリアＡ６と、修正画像データ２２５を表示する画像表示エリアＡ７と、登録者とその謝礼金額を対応付けて表示する条件表示エリアＡ８と、謝礼をするか否かを選択する選択ボタンＡ９とを含む。また、謝礼を支払う必要がない場合には、同図（ｃ）に示すように、テキストエリアＡ６には肖像権が保証された旨表示し、条件表示エリアＡ８には、登録者ＩＤ２２７ａは表示されず、謝礼金額は「０」と表示する。そして、選択ボタンＡ９は確認ボタンとして機能するとしても良い。
【０１０７】
図９において、携帯電話機１０００のユーザが、表示された画像と使用条件とを考慮して、操作入力キー１０１０を操作して謝礼するか否かを選択する（ステップＳ１６）。
謝礼の支払いに同意する選択が入力された場合は（ステップＳ１６；ＹＥＳ）、携帯電話機１０００のＣＰＵ１１０は、修正画像データ記憶領域１２５Ｒに一時的に記憶されていた画像データを記憶媒体１７２に修正画像データ１７６として記憶して保存する（ステップＳ１８）。そして、肖像権保証サーバ装置１２００に、謝礼の支払いを許可する旨送信する（ステップＳ２０；通信Ｃ５）。
【０１０８】
一方、謝礼の支払いを拒否する選択が入力された場合は（ステップＳ１６；ＮＯ）、肖像使用の契約が不成立となりユーザは当該画像の使用を断念したと判断し、撮影画像データ記憶領域１２４Ｒと、修正画像データ記憶領域１２５Ｒとをクリアして、撮影画像データ１２４と修正画像データ２２５と使用できなくする（ステップＳ２２）。そして、肖像権保証サーバ装置１２００に、謝礼の支払いを拒否する旨送信する（ステップＳ２４；通信Ｃ５）。
【０１０９】
図１１において、肖像権保証サーバ装置１２００は、謝礼の支払許可／拒否を受信する。謝礼の支払拒否を受信した場合（ステップＳ７４；ＮＯ）、肖像権保証サーバ装置１２００のＣＰＵ２１０は特定登録者ＩＤ記憶領域２２４Ｒに記憶されている登録者ＩＤの登録者アドレス２２７ｄに、肖像使用の契約が不成立となった旨送信する（ステップＳ７６；通信Ｃ６）。
【０１１０】
図１２において、同意者の端末装置１１００は、契約成否を受信し（ステップＳ１０８）、契約不成立の場合には（ステップＳ１１０；ＮＯ）、例えば、図１３（ｃ）に示すように契約が不成立となり、相手が画像の使用が中止された旨をディスプレイ１１０４に表示する（ステップＳ１１２）。当該端末装置１１００のユーザである特定登録者は、この表示を見て当該案件の始末を確認することができる。
【０１１１】
一方、図１１において、同意者への謝礼の支払許可を受信した場合（ステップＳ７４；ＹＥＳ）、肖像権保証サーバ装置１２００のＣＰＵ２１０は同意者ＩＤ記憶領域２２８Ｒに記憶されている同意者ＩＤ２２８に対応する登録者端末アドレス２２７ｄに契約成立の旨送信する（ステップＳ７８；通信Ｃ６）。
【０１１２】
図１２において、同意者の端末装置１１００は、契約成否を受信し（ステップＳ１０８）、契約成立の場合には（ステップＳ１１０；ＹＥＳ）、例えば図１３（ｂ）に示すように、契約が成立して指定の銀行口座に謝礼金が振り込まれる旨ディスプレイ１１０４に表示する（ステップＳ１１４）。当該端末装置１１００のユーザである特定登録者は、この表示を見て当該案件の始末を確認することができる。
【０１１３】
更に、図１１において、ＣＰＵ１２０は所定の金融機関サーバ装置１３０４にアクセスし（ステップＳ８０）、同意者の銀行口座に謝礼設定金額を振り込むように指示する情報を送信する（ステップＳ８２）。金融機関サーバ装置１３０４は、従来と同様にこの振込指示に基づいて、肖像使用に同意した登録者の指定銀行口座に謝礼金を振り込む。尚、ここで支払われた謝礼金は、後にサービス利用料金として肖像権保証サービス提供者が利用者から徴収するのは勿論である。
【０１１４】
次いで、ＣＰＵ１２０は、携帯電話機１０００の利用者データ２２６に肖像権保証済画像送信先アドレス２２６ｆが登録されている場合（ステップＳ８４；ＹＥＳ）、該アドレスの末装置に利用者ＩＤ記憶領域２２１Ｒに記憶されている利用者ＩＤ１７４と、肖像権保証電子署名がされた修正画像データ２２５とを送信する。本実施形態の場合、指定端末装置はメディアサーバ装置１３０２であるので、これによって出版者等に肖像権が保証された画像が投稿されることになる。特に、肖像権保証済画像送信先アドレス２２６ｆが登録されていない場合は（ステップＳ８４；ＮＯ）、ＣＰＵ１２０は一連の肖像権保証に係る処理を終了する。携帯電話機１０００のユーザは、ステップＳ１８で肖像権が保証された修正画像データ２２５が記憶媒体１７２に保存されているので、肖像権問題を気にすることなく自身のウェブサイトに掲載するなど自由に利用することが可能となる。
【０１１５】
〔第２実施形態〕
第１実施形態では、肖像権保証サーバ装置１２００は、先ず撮影画像に写っている登録者を特定した後に、この特定された登録者の端末装置１１００に肖像使用許諾要求を送信するとしたが、携帯電話機１０００から所定範囲内に位置する端末装置１１００全てに肖像使用許諾要求を送信し、その内非同意を得た端末装置１１００の登録者が写っている部分を撮影画像から特定してモザイク処理する構成としてもよい。
【０１１６】
先ず、利用者データ２２６の利用者端末ＩＤ２２６ｂには、携帯電話機１０００の装置のＩＤともに、契約している通信サービス事業者の位置情報提供サーバ装置のアドレスを登録する。また、同様に登録者データ２２７の登録端末ＩＤ２２７ｃにおいても、端末装置１１００への通信サービスを提供している通信サービス事業者の位置情報提供サーバ装置のアドレスを登録するものとする。そして、肖像権保証サーバ装置１２００は、事前の契約によってこれら位置情報提供サーバ装置から、携帯電話機１０００及び端末装置１１００の位置情報（例えば、緯度経度）を取得できるものとする。
【０１１７】
図１５は、第２実施形態における肖像権保証サーバ装置における処理の流れを説明するためのフローチャートである。同図に示すように、肖像権保証サーバ装置１２００は、携帯電話機１０００から利用者ＩＤ１７４と撮影画像データ１２４とを受信したならば（ステップＳ２００；ステップＳ４０相当）、携帯電話機１０００の通信サービス事業者の位置情報提供サーバ装置にアクセスして（ステップＳ２０２）、利用者端末ＩＤ２２６ｂを送信して携帯電話機１０００の撮影時の位置座標を取得する（ステップＳ２０４）。
【０１１８】
次いで、全登録者についてループ３（ステップＳ２０６〜Ｓ２１２）を実行する。ループ３では、処理対象の登録者の登録端末ＩＤ２２７ｃとともに登録されているアドレスの位置情報提供サーバ装置にアクセスし（ステップＳ２０８）、登録端末ＩＤ２２７ｃを送信して該登録者の端末装置１１００の位置情報を取得する（ステップＳ２１０）。
【０１１９】
そして、携帯電話機１０００と、各登録者の端末装置１１００について位置情報を取得したならば、肖像権保証サーバ装置１２００は、撮影時に携帯電話機１０００から所定範囲内（例えば、半径１００ｍ内）に存在する端末装置１１００を選択して（ステップＳ２１４）、選択した端末装置１１００へ肖像使用許諾要求を送信し（ステップＳ２１６）、所定時間の間、肖像使用許諾要求への返信を受信する（ステップＳ２１８；ステップＳ５４に相当）。
【０１２０】
所定時間の間、端末装置１１００からの返信を受けつけたならば、肖像権保証サーバ装置１２００は全登録者についてループ４を実行する（ステップＳ２２０〜Ｓ２３４）。
ループ４では、処理対象の登録者の端末装置１１００から所定時間内に返信を受信し（ステップＳ２２２；ＹＥＳ）、且つ、その返信内容が「同意」であれば（ステップＳ２２４；同意）、肖像権保証サーバ装置１２００は当該端末装置１１００の登録者ＩＤ２２７ａを、ＲＡＭ２２０の同意者ＩＤ記憶領域２２８Ｒに記憶させ（ステップＳ２２６；ステップＳ５８に相当）、肖像使用が許諾されたので画像処理を加えない。
【０１２１】
所定時間内に同意／非同意の選択結果を含む返信を受信したが、返信内容が「非同意」の場合（ステップＳ２２４；非同意）、撮影画像データから当該端末装置１１００に対応する登録者が写っている部分を特定し（ステップＳ２２８；ステップＳ４２と４６に相当）、頭部部分を秘匿するためにモザイク処理を実行する（ステップＳ２３２；ステップＳ６０，Ｓ６２に相当）。所定時間内に返信を受信しなかった端末装置１１００についても同様である（ステップＳ２２２；ＮＯ）。
以降の処理については、第１実施形態と同様であるので説明は省略する。
【０１２２】
尚、携帯電話機１０００から所定範囲内に位置する端末装置１１００の選択は、通信サービス事業者が提供する位置情報を取得する方法のほか、例えば、携帯電話機１０００及び端末装置１１００が、Ｂｌｕｅｔｏｏｔｈ（登録商標）規格等の近距離無線機を具備している場合には、携帯電話機１０００が撮影処理と共に周囲に存在する端末装置１１００（すなわち、近距離無線機の受信範囲内）から登録端末ＩＤ２２７ｃを取得し、これを肖像権保証サーバ装置１２００に撮影画像データ１２４とともに送信する。そして、肖像権保証サーバ装置１２００は、ステップＳ２０２〜Ｓ２１４の代わりに受信した登録端末ＩＤ２２７ｃに対応する端末装置１１００に肖像使用許諾要求を送信する構成としても良い。
【０１２３】
〔第３実施形態〕
次に、本発明を適用した第３実施形態として、肖像権保証サーバ装置１２００を利用せずに単体の画像処理装置で肖像権を保証する場合を例に挙げて説明する。尚、本実施形態では、画像処理装置の一つであるデジタルカメラを例に説明するが、カメラ付き携帯電話機、カメラ付きＰＤＡ、カメラ付きノートパソコン、カメラ付き携帯ゲーム装置など、カメラ機能を有する他の電子機器においても同様に適用することができる。また、第１実施形態と同様の構成要素については、同じ符号を付け説明を省略するものとする。
【０１２４】
[構成の説明]
図１６は、本実施形態におけるデジタルカメラ２０００の概観図である。（ａ）は正面斜視図、（ｂ）は背面斜視図である。デジタルカメラ２０００は、被写体の像をデジタル画像として記憶する電子機器である。同図に示すように、デジタルカメラ２０００は、（１）被写体を撮影フレームに収めるように狙うためのファインダー２００２と、（２）ＡＦ（オートフォーカス）機能とズーム機能を備えた撮影レンズ２００４と、（３）撮影レンズ２００４を通して入射した光（対象物の像）をデジタル信号に変換するＣＣＤ（Charge Coupled Diode）、ＣＭＯＳ（Complementary Metal Oxide Semiconductor）といった撮像素子２００６と、（４）撮像された画像をプレビュー表示するＬＣＤ（Liquid Crystal Display）やＥＬＤ（Electronic Luminescent Display）といったディスプレイ２００８と、（５）シャッターボタン２０１０と、（６）撮影された画像のデータを記憶（保存）するメモリカード２０１２が着脱自在なスロット２０１４と、（７）各種の操作を入力するための方向キーやボタンスイッチ等の操作入力キー２０１６と、（８）演算処理によって装置を統合的に制御する制御ユニット２０２０と、（９）露出決定のための光量を計測する測光センサ２０２６と、（１０）被写体までの被写体距離を計測する測距センサ２０２８と、電源（図示略）と、を備える。
【０１２５】
制御ユニット２０２０は、演算処理を実行するＣＰＵ（Central  Processing  Unit）３１０と、ＲＡＭ（Random Access Memory）３２０と、ＲＯＭ（Read  Only  Memory）３３０と、内蔵フラッシュメモリ３６０とを備え、デジタルカメラ２０００の機能を統合的に制御する。
【０１２６】
ユーザによって電源スイッチ２０１８が押下されて電源が入れられると、ＣＰＵ３１０はＲＯＭ３３０から所定のプログラムを自動的に読み出して、デジタルカメラ２０００を撮影可能な状態とする。撮影可能な状態となったならば、ユーザは撮影レンズ２００４を被写体に向けてデジタルカメラ２０００を構え、ファインダー２００２を覗いて撮影する構図を確認する。
【０１２７】
撮影レンズ２００４がズーム機能を備えている場合には、所定の操作入力キー２０１６（例えば、方向キーの上下）を操作して適当にワイド側又はテレ側にズームを変更し、実質焦点距離を変更して画角を決定する。そして、ユーザがシャッターボタン２０１０を半押しすると、制御ユニット２０２０は測距センサ２０２８で測定した被写体距離に応じてＡＦ機能を作動させてピントを合わせるとともに、測光センサ２０２６で測定した光量に応じて絞りとシャッタースピードを決定する。そして、ユーザがシャッターボタン２０１０を押し込むとシャッターが切られ、電子的な撮影が実行される。
【０１２８】
シャッターが切られた瞬間の被写体の像は、撮像素子２００６によってデジタル信号に変換されて、１枚の静止画像データとしてメモリカード２０１２に記憶される。そして、一定時間、ディスプレイ２００８にプレビューとして表示される。メモリカード２０１２に記憶された画像は、読み出してディスプレイ２００８に再生表示させたり、適宜不要な画像を消去するなどのファイル操作をすることもできる。
【０１２９】
また、デジタルカメラ２０００は、通信回線２に接続する通信端子２０１９を備えており、外部装置との間で撮影された画像のデータの送受をすることができる。例えば、撮影された画像のデータをデジタルカメラ２０００からパソコンに送信し（出力し）、パソコンで画像処理を施した後、パソコンに接続されたプリンタ等で画像を印刷するといったことができる。尚、ここで言う通信回線２とは、データ授受が可能な通信路を意味し、直接接続のための専用線（専用ケーブル）やＬＡＮ（Local Area Network）の他、電話通信網やケーブル網、インターネット等の通信網を含む意味であり、また通信方法については有線／無線を問わない意味である。
【０１３０】
[機能ブロックの説明]
図１７は、本実施形態におけるデジタルカメラ２０００の機能構成の一例を示す機能ブロック図である。同図に示すように、デジタルカメラ２０００は、ＣＰＵ３１０と、撮影部３１２と、操作入力部３１４と、ＲＡＭ３２０と、ＲＯＭ３３０と、撮影された画像やテキストを画像出力する表示部３４０と、通信回線２を介して外部装置３５２とデータ通信可能とする通信部３５０と、内蔵フラッシュメモリ３６０と、着脱式の記憶媒体３７２へのデータの読み書きを行う記憶媒体読取部３７０とを備える。そして、これらはデータバス３８０によって接続されている。
【０１３１】
撮影部３１２は、被写体の像を光学的に導き電子的に撮影する。像をデジタルデータに変換するとも言う。具体的には、ＣＣＤやＣＭＯＳなどの撮像素子で実現される像感部、被写体距離測定部、ピント調節部、測光部、絞り調節部、シャッター駆動部、ズーム機構を駆動させるズーム駆動部、無色透明なガラスや樹脂から形成された光学レンズ群や、各種のカラーフィルターなどを備える。図１６では、撮影レンズ２００４や撮像素子２００６、測距センサ２０２８、測光センサ２０２６、ファインダー２００２が撮影部３１２に該当する。
【０１３２】
操作入力部３１４は、ユーザによる各種の入力を受け付け、操作入力信号をＣＰＵ３１０に出力する。具体的には、ボタンスイッチ、レバー、ジョグダイヤル、タッチパネルなどによって実現することができる。図１６では、シャッターボタン２０１０や操作入力キー２０１６、電源スイッチ２０１８がこれに該当する。
【０１３３】
表示部３４０は、撮影部３１２で撮影された画像やテキスト、図形などを表示出力する。具体的には、ＬＣＤやＥＬＤといった表示素子やこれらのドライバ回路、表示用のバッファメモリによって実現される。図１６では、ディスプレイ２００８がこれに該当する。
【０１３４】
内蔵フラッシュメモリ３６０は、何度でも電気的に記憶の消去・書き込みができるＲＯＭの一種であって、例えばＮＯＲ型フラッシュメモリによって実現される。本実施形態では、肖像権の保証を要望する人物に関する情報を記憶する登録者データ２２９を記憶している。本実施形態における登録者データ２２９は、例えば、登録者ＩＤ２２７ａと登録者特定情報２２７ｂとを登録者毎に対応付けられて格納しており、予め所定のウェブサイト等からダウンロードして記憶しておく。
【０１３５】
記憶媒体３７２は、撮影された画像のデータや各種のプログラムやデータを記憶する。具体的には、フラッシュメモリなど着脱自在型な情報記憶媒体によって実現され、肖像権が保証された修正画像データ３７４が保存される。図１６では、メモリカード２０１２がこれに該当する。
【０１３６】
記憶媒体読取部３７０は、記憶媒体３７２へのデータの書き込みやデータの読み出しをする。具体的には、記憶媒体３７２のメディアの種類に応じた読み書き装置、及びそのドライバ回路等によって実現される。図１６では、スロット２０１４がこれに該当する。
【０１３７】
通信部３５０は、通信回線２を介して外部装置３５２とのデータ通信を実現する。具体的には、モデムや無線ＬＡＮカードといった有線／無線の通信装置、通信ケーブルの接続端子、及びこれらのドライバ回路などによって実現される。図１６では、通信端子２０１９がこれに該当する。
【０１３８】
ＣＰＵ３１０は、ＲＯＭ３３０や記憶媒体３７２に記憶されている各種のプログラムやデータを読み出し、ＲＡＭ３２０を一時的な記憶領域にしながら演算処理することによって、上記各機能ブロックを制御してデジタルカメラ２０００を統合的に制御する。
【０１３９】
ＲＡＭ３２０は、撮影部３１２で撮影した撮影画像データを一時的に記憶する撮影画像データ記憶領域３２１Ｒと、該撮影された画像中に人物が撮影されていると識別された部分（識別部分）を記憶する人物撮影部分記憶領域３２２Ｒと、撮影時に肖像使用の同意が得られている人物が写っている部分のマーキング情報を記憶するマーキング情報記憶領域３２３Ｒとを有する。
【０１４０】
ＲＯＭ３３０は、システムプログラム３３１と、ＣＰＵ３１０に撮影された画像の肖像権保護機能を実現させるための肖像権保護プログラム３３２とを記憶している。
【０１４１】
システムプログラム３３１は、デジタルカメラとしての基本的な諸機能を実現させるためのプログラムである。ＣＰＵ３１０は、システムプログラム３３１を読み出し実行することによって、例えば、各種の初期設定や、ハードウェアの検査及び必要なプログラムのロード等を行う起動処理、ホワイトバランスや各種撮影モードの設定処理、露出の計測処理、露出の計測結果に応じたシャッタースピードと絞りの制御処理、ＡＦ制御処理、シャッターが切られた際に撮影されていた画像の画像データの作成処理、記憶媒体３７２への画像の記憶処理、記憶媒体３７２に記憶されている画像の管理処理、記憶媒体３７２に記憶されている画像の再生表示処理、各種メニュー画面の表示制御処理、内蔵時計機能などを実行することができる。
【０１４２】
肖像権保護プログラム３３２は、更に画像中に撮影されている人物（被撮影人物）と登録者データ２２７に登録されている人物とを照合し特定する機能を実現させるための被撮影人物特定プログラム３３３と、登録者データ２２７に登録されている人物と特定された被撮影人物が写っている部分を秘匿するように画像処理する機能を実現させるための画像処理プログラム３３４と、肖像権の保証がされていることを示す情報を画像に電子署名する機能を実現させるための電子署名プログラム３３５とを含んでいる。
【０１４３】
[処理の流れの説明]
図１８は、本実施形態における処理の流れを説明するためのフローチャートである。尚、デジタルカメラ２０００は、起動時に肖像権保護プログラム３３２を既に読み出しているものとする。
【０１４４】
同図に示すように、先ずユーザが操作入力部３１４から所定の撮影操作を入力すると、撮影部３１２が画像を撮影する（ステップＳ１３０）。撮影された画像データはＲＡＭ３２０の撮影画像データ記憶領域３２１Ｒに一時的に記憶される（ステップＳ１３２）。
【０１４５】
この撮影画像データを記憶媒体３７２に記憶する前に、ＣＰＵ３１０は肖像権を保証する処理を実行する。先ずディスプレイ２００８に所定の入力画面を表示して、ユーザに肖像使用の同意（許諾）が得られている人物が写っている部分にマーキングさせる（ステップＳ１３４）。例えば、図１９に示すように、撮影画像データ３２１のプレビュー１６と、操作入力キー２０１６で移動及び選択操作が可能なポインタ１４をディスプレイ２００８に表示させる。そして、ポインタ１４で撮影時に肖像使用の同意が得られている人物が写っている部分を選択しマーキングをすると、ＣＰＵ３１０は選択位置の画像座標系の位置座標値がマーキング情報記憶領域３２３Ｒに記憶する。この際、プレイビュー１６上には、マーキングされた位置に所定の印（マーキングＭ）を撮影画像データ１２４の画素には反映されないように擬似的に（表示バッファ上の操作として）表示するとより分かり易く好適である。
【０１４６】
ここでマーキングされた人物は、後の肖像権保証の対象外となる。例えば、家族を撮影した場合には当然家族からは肖像使用は認められるものであり、その場合、家族が写っている部分にマーキングをすることによって肖像権保証の対象外とし、本来写したいものを確実に残すことができる。
【０１４７】
次に、ＣＰＵ３１０は、撮影画像から人物が撮影されている部分を識別し、識別した部分を人物撮影部分記憶領域３２２Ｒに記憶し（ステップＳ１３６）、マーキングが施されている部分を識別部分から除外する（ステップＳ１３８）。具体的には、マーキング情報が示す座標値が含まれる識別部分を除外する。そして、残った全ての識別部分についてループ２の処理を実行する（ステップＳ１４０〜Ｓ１５０）。
【０１４８】
ループ２では、先ず処理対象となっている識別部分に撮影されている人物を登録者データ２２７と照合し、該当する登録者を特定する（ステップＳ１４２）。
登録者データ２２７に該当者が居る場合（ステップＳ１４４；ＹＥＳ）、該識別部分から更に頭部を識別し（ステップＳ１４６）、頭部にモザイク処理をして秘匿するように撮影画像データを画像処理し更新する（ステップＳ１４８）。これによって、登録者データ２２７で登録されている人物が写っていてもモザイクによって誰が写っているか分からなくできる。
【０１４９】
全ての識別部分のループ２を実行したならば、ＣＰＵ３１０は修正が施された撮影画像データに肖像権保護の処理を行ったことを示すために所定の電子署名をする（ステップＳ１５２）。そして、電子署名された撮影画像データを肖像権が保証された修正画像データとして記憶媒体３７２に出力し保存する（ステップＳ１５４）。
【０１５０】
ここで、パソコン等への出力などの出力操作が入力された場合（ステップＳ１５６；ＹＥＳ）、ＣＰＵ３１０は出力対象となっている画像データに肖像権保証の電子署名がされているか否かを判定する（ステップＳ１５８）。
【０１５１】
電子署名されている場合（ステップＳ１５８；ＹＥＳ）、ＣＰＵ３１０は出力操作に応じた出力処理を実行する（ステップＳ１６０）。一方、電子署名されていない場合には（ステップＳ１５８；ＮＯ）、ＣＰＵ３１０は肖像権が保証されていない旨、ディスプレイ２００８に表示するとともに所定の選択画面を表示して、肖像権保証を実行するか否かをユーザに入力させる（ステップＳ１６２）。そして、肖像権保証を実行しない選択がされた場合には（ステップＳ１６４；ＮＯ）、出力処理は実行しない。肖像権保証を実行する選択がされた場合には（ステップＳ１６４；ＹＥＳ）、ステップＳ１３４に移行して、出力対象の画像データを撮影画像データとみなして、上述の如く肖像権保証に係る一連の処理を実行する（ステップＳ１３４〜Ｓ１５４）。
【０１５２】
以上の処理によって、マーキングされていない人物として、登録者データ２２７の登録者が写っていてもモザイクによって誰が写っているか分からなくしてから出力することができるので、登録者に係る肖像権問題を気にすることなく自由に自身が撮影した画像を利用することができるようになる。また、肖像権が保証されていない画像を対象に、出力操作されてもこれを禁止することができる。
【０１５３】
〔変形例の説明〕
以上、本発明を適用した実施形態について説明したが、本発明の適用がこれらに限定されるものではなく、発明の趣旨を逸脱せず同様の作用・効果を得られる限りにおいて、適宜構成要素の追加・省略・変更等を行っても構わない。
【０１５４】
例えば、画像に写っている人物が特定できないように秘匿する画像処理をモザイク処理として説明したがこれに限らず、例えば、所定のマークやキャラクタを上書きすることによって秘匿する構成としても良い。また、所定の色で塗潰したりボカシ処理を施すとしても良い。
【０１５５】
また、上記実施形態では、静止画として説明したが動画であっても良いのは勿論である。その場合、肖像権保証処理は動画を構成する全フレームについて実行する。
【０１５６】
また、上記実施形態では、撮影されている人物を特定することによって肖像権を保証する場合を説明したが、特定する対象は人間に限らず、動物や建物、絵画等の著作物にも同様に適用することができる。その場合、登録者データ２２７，２２９に肖像権や著作権を侵害されることを望まないものを登録する。そして、同様にして撮影画像データとパターンマッチング等によって特定し、該当部分を秘匿するように画像処理して修正画像データを生成する。
【０１５７】
また、撮影画像に対して、既に肖像使用の同意を得ている人物が写っている部分にマーキングを施すとしたが、この処理を省略した構成としても良いし、またユーザによるカスタム設定機能によってスキップ可能な構成としても良い。
【図面の簡単な説明】
【０１５８】
【図１】第１実施形態におけるシステム構成の一例を示す図。
【図２】第１実施形態における肖像権保証の概要を説明するための連続する概念図。
【図３】第１実施形態における肖像権保証の概要を説明するための連続する概念図。
【図４】第１実施形態における肖像権保証の概要を説明するための連続する概念図。
【図５】第１実施形態における携帯電話機の機能構成の一例を示す要部機能ブロック図。
【図６】第１実施形態における肖像権保証サーバ装置の機能構成の一例を示す機能ブロック図。
【図７】第１実施形態における利用者データ記憶領域に格納される利用者データのデータ構成の一例を示す図。
【図８】第１実施形態における登録者データ記憶領域に格納される登録者データのデータ構成の一例を示す図。
【図９】第１実施形態における携帯電話機（利用者端末）の処理の流れを説明するためのフローチャート。
【図１０】第１実施形態における肖像権保証サーバ装置の処理の流れを説明するためのフローチャート。
【図１１】第１実施形態における肖像権保証サーバ装置の処理の流れを説明するためのフローチャート。
【図１２】第１実施形態における端末装置（登録者端末）の処理の流れを説明するためのフローチャート。
【図１３】第１実施形態における登録者の端末装置における画面表示例を示す図。
【図１４】第１実施形態における携帯電話機における画面表示例を示す図。
【図１５】第２実施形態における肖像権保証サーバ装置における処理の流れを説明するためのフローチャート。
【図１６】第３実施形態におけるデジタルカメラの（ａ）正面斜視外観図、（ｂ）背面斜視外観図。
【図１７】第３実施形態におけるデジタルカメラの機能構成の一例を示す機能ブロック図。
【図１８】第３実施形態における処理の流れを説明するためのフローチャート。
【図１９】第３実施形態における画面表示の一例を示す図。
【符号の説明】
【０１５９】
２  通信回線
４，６，８  モデル
１３  モザイク処理
１１０  ＣＰＵ
１１２  撮影部
１２０  ＲＡＭ
１２４Ｒ  撮影画像データ記憶領域
１２５Ｒ  修正画像データ記憶領域
１４０  ＲＯＭ
１４３  肖像権保証サービス利用プログラム
１４４  マーキングプログラム
１７２  記憶媒体
１７６  修正画像データ
２１０  ＣＰＵ
２２０  ＲＡＭ
２２２Ｒ  撮影画像データ記憶領域
２２５Ｒ  修正画像データ記憶領域
２２６Ｒ  利用者データ記憶領域
２２７Ｒ  登録者データ記憶領域
２２８Ｒ  同意者ＩＤ記憶領域
２４０  ＲＯＭ
２４２  肖像権保証プログラム
２４３  被撮影人物特定プログラム
２４４  画像処理プログラム
２４５  電子署名プログラム
２４６  謝礼代行プログラム
３００  ＣＰＵ
３２０  ＲＡＭ
３２１Ｒ  撮影画像データ記憶領域
３２２Ｒ  マーキング情報記憶領域
３２２Ｒ  人物撮影部分記憶領域
３３０  ＲＯＭ
３３２  肖像権保護プログラム
３３３  被撮影人物特定プログラム
３３４  画像処理プログラム
３３５  電子署名プログラム
３６０  内蔵フラッシュメモリ
３７２  記憶媒体
３７４  修正画像データ
１０００  携帯電話機
１００２  カメラモジュール
１００４  ディスプレイ
１００６  無線通信モジュール
１０１２  メモリカード
１１００  端末装置
１２００  肖像権保証サーバ装置
１３０２  メディアサーバ装置
１３０４  金融機関サーバ装置
２０００  デジタルカメラ
２００４  撮影レンズ
２００６  撮像素子
２００８  ディスプレイ
２０１２  メモリカード
２０１９  通信端子
【図１】
2005110004.tif 000003
【図２】
2005110004.tif 000004
【図３】
2005110004.tif 000005
【図４】
2005110004.tif 000006
【図５】
2005110004.tif 000007
【図６】
2005110004.tif 000008
【図７】
2005110004.tif 000009
【図８】
2005110004.tif 000010
【図９】
2005110004.tif 000011
【図１０】
2005110004.tif 000012
【図１１】
2005110004.tif 000013
【図１２】
2005110004.tif 000014
【図１３】
2005110004.tif 000015
【図１４】
2005110004.tif 000016
【図１５】
2005110004.tif 000017
【図１６】
2005110004.tif 000018
【図１７】
2005110004.tif 000019
【図１８】
2005110004.tif 000020
【図１９】
2005110004.tif 000021